(57)【要約】  チャネル情報のフィードバック精度を高めるべく、チャネル情報を伝送する装置および方法、ならびにシステムが開示される。第１デバイスが、第２デバイスから基準信号を受信するよう構成されている受信モジュールと、当該基準信号に基づいてプリコーディング行列を取得し、当該プリコーディング行列を示すために使用される第１チャネル情報および第２チャネル情報を生成するよう構成されている処理モジュールと、第２デバイスに当該第１チャネル情報および当該第２チャネル情報を送信するよう構成されている送信モジュールとを含む。第１チャネル情報の精度は、第２チャネル情報の精度よりも高い。第１チャネル情報は、プリコーディング行列内の各要素の位相情報を含み、第２チャネル情報は、当該プリコーディング行列内の各要素の振幅情報を含む。チャネル行列を復元するために比較的重要であり、かつ、高精度を必要とする、プリコーディング行列の位相情報の精度は、振幅情報の精度よりも高い。一方では、チャネル情報のフィードバックオーバーヘッドを低減させることができ、他方では、チャネル情報のフィードバック精度を確保することができる。
2019527969.tif 000002
【特許請求の範囲】
【請求項１】
第２デバイスから基準信号を受信するよう構成されている受信モジュールと、
前記受信モジュールにより受信された前記基準信号に基づいてプリコーディング行列を取得し、前記プリコーディング行列を示すために使用される第１チャネル情報および第２チャネル情報を生成するよう構成されている処理モジュールと、
前記第２デバイスに前記第１チャネル情報および前記第２チャネル情報を送信するよう構成されている送信モジュールと
を備える第１デバイスであって、前記第１チャネル情報の精度は、前記第２チャネル情報の精度よりも高く、
前記第１チャネル情報は、前記プリコーディング行列内の各要素の位相情報を含み、前記第２チャネル情報は、前記プリコーディング行列内の各要素の振幅情報を含む、第１デバイス。
【請求項２】
前記処理モジュールは、量子化されていない前記第１チャネル情報と量子化された前記第２チャネル情報とを生成するよう具体的に構成される、請求項１に記載のデバイス。
【請求項３】
前記処理モジュールは、量子化された前記第１チャネル情報と量子化された前記第２チャネル情報とを生成するよう具体的に構成され、前記第１チャネル情報の量子化ビットの数は、前記第２チャネル情報の量子化ビットの数よりも多い、請求項１に記載のデバイス。
【請求項４】
前記処理モジュールは、第１チャネルサブ情報のＫ個のグループを含む前記第１チャネル情報を生成するよう具体的に構成され、
Ｋは、正の整数であり、前記プリコーディング行列に含まれる列ベクトルの数であり、各列ベクトルが、第１チャネルサブ情報の１つのグループに対応しており、
前記第１チャネルサブ情報は、
基本的第１チャネルサブ情報であって、前記基本的第１チャネルサブ情報は、前記第１チャネルサブ情報に対応する列ベクトル内の基準要素の位相情報であり、前記基準要素の位相は、非ゼロである、基本的第１チャネルサブ情報と、
Ｌ−２個の相対的第１チャネルサブ情報であって、Ｌは、前記列ベクトルの長さであり、１つの相対的第１チャネルサブ情報が、位相が非ゼロである、前記列ベクトル内の前記基準要素以外の１つの要素に対応しており、対応する前記要素の位相と前記基準要素の前記位相との間のずれを示すために使用される、Ｌ−２個の相対的第１チャネルサブ情報と
を含み、前記基本的第１チャネルサブ情報は、量子化されていないチャネル情報であり、前記相対的第１チャネルサブ情報は、量子化されたチャネル情報である、請求項１に記載のデバイス。
【請求項５】
前記処理モジュールは、量子化された前記第２チャネル情報を生成するよう具体的に構成され、それぞれの相対的第１チャネルサブ情報の量子化ビットの数が、前記第２チャネル情報の量子化ビットの数よりも多い、請求項４に記載のデバイス。
【請求項６】
前記処理モジュールは、システム周波数帯域内の予め設定されたサブバンドごとに前記第１チャネル情報を生成し、全システム帯域幅に対する前記第２チャネル情報を生成するよう具体的に構成される、請求項１から５の何れか一項に記載のデバイス。
【請求項７】
前記処理モジュールは、前記第１チャネル情報および前記第２チャネル情報の送信時における前記第１チャネル情報の送信周期が前記第２チャネル情報の送信周期よりも短いことを前記送信モジュールに示すよう具体的に構成される、請求項１から６の何れか一項に記載のデバイス。
【請求項８】
第１デバイスに基準信号を送信するよう構成されている送信モジュールと、
前記第１デバイスから第１チャネル情報および第２チャネル情報を受信するよう構成されている受信モジュールであって、前記第１チャネル情報および前記第２チャネル情報は、プリコーディング行列を示すために使用され、前記プリコーディング行列は、前記第１デバイスにより、受信した前記基準信号に基づいて取得され、
前記第１チャネル情報の精度は、前記第２チャネル情報の精度よりも高く、
前記第１チャネル情報は、前記プリコーディング行列内の各要素の位相情報を含み、前記第２チャネル情報は、前記プリコーディング行列内の各要素の振幅情報を含む、受信モジュールと、
前記第１チャネル情報および前記第２チャネル情報に基づいて前記プリコーディング行列を決定するよう構成されている処理モジュールと
を備える第２デバイスであって、
前記送信モジュールは更に、前記処理モジュールにより決定された前記プリコーディング行列に基づいて前記第１デバイスにデータを送信するよう構成される、第２デバイス。
【請求項９】
前記受信モジュールは、量子化されていない前記第１チャネル情報を受信し、量子化された前記第２チャネル情報を受信するよう具体的に構成される、請求項８に記載のデバイス。
【請求項１０】
前記受信モジュールは、量子化された前記第１チャネル情報と量子化された前記第２チャネル情報とを受信するよう具体的に構成され、前記第１チャネル情報の量子化ビットの数は、前記第２チャネル情報の量子化ビットの数よりも多い、請求項８に記載のデバイス。
【請求項１１】
前記受信モジュールは、第１チャネルサブ情報のＫ個のグループを含む前記第１チャネル情報を受信するよう具体的に構成され、Ｋは、正の整数であり、前記プリコーディング行列に含まれる列ベクトルの数であり、各列ベクトルが、第１チャネルサブ情報の１つのグループに対応しており、前記第１チャネルサブ情報は、
基本的第１チャネルサブ情報であって、前記基本的第１チャネルサブ情報は、前記第１チャネルサブ情報に対応する列ベクトル内の基準要素の位相情報であり、前記基準要素の位相は、非ゼロである、基本的第１チャネルサブ情報と、
Ｌ−２個の相対的第１チャネルサブ情報であって、Ｌは、前記列ベクトルの長さであり、１つの相対的第１チャネルサブ情報が、位相が非ゼロである、前記列ベクトル内の前記基準要素以外の１つの要素に対応しており、対応する前記要素の位相と前記基準要素の前記位相との間のずれを示すために使用される、Ｌ−２個の相対的第１チャネルサブ情報と
を含み、前記基本的第１チャネルサブ情報は、量子化されていないチャネル情報であり、前記相対的第１チャネルサブ情報は、量子化されたチャネル情報である、請求項８に記載のデバイス。
【請求項１２】
前記受信モジュールは、量子化された前記第２チャネル情報を受信するよう具体的に構成され、それぞれの相対的第１チャネルサブ情報の量子化ビットの数は、前記第２チャネル情報の量子化ビットの数よりも多い、請求項１１に記載のデバイス。
【請求項１３】
前記受信モジュールは、システム周波数帯域内の予め設定されたサブバンドごとに前記第１チャネル情報を受信し、全システム帯域幅に対する前記第２チャネル情報を受信するよう具体的に構成される、請求項８から１２の何れか一項に記載のデバイス。
【請求項１４】
前記受信モジュールは、周期的に送信される前記第１チャネル情報および前記第２チャネル情報を受信するよう具体的に構成され、前記第１チャネル情報の送信周期は、前記第２チャネル情報の送信周期よりも短い、請求項８から１３の何れか一項に記載のデバイス。
【請求項１５】
第２デバイスから基準信号を受信するよう構成されている受信モジュールと、
前記受信モジュールにより受信された前記基準信号に基づいてプリコーディング行列Ｗを取得するよう構成されている処理モジュールであって、
Ｗは、Ｎｔ行Ｒ列の行列であり、
【数１０３】
2019527969.tif 000106
であり、
【数１０４】
2019527969.tif 000107
は、Ｎｔ／２行Ｍ列の行列であり、
【数１０５】
2019527969.tif 000108
であり、
【数１０６】
2019527969.tif 000109
は、次元数がＮｔ／２である列ベクトルであり、０≦ｉ≦Ｍ−１であり、Ｎｔは、前記第２デバイスにより前記基準信号を送信するためのアンテナポートの数であり、
【数１０７】
2019527969.tif 000110
は、２Ｍ行Ｒ列の行列であり、
【数１０８】
2019527969.tif 000111
であり、
【数１０９】
2019527969.tif 000112
は、次元数がＭである単位ベクトルであり、
【数１１０】
2019527969.tif 000113
番目の要素の値のみが１であり、他の要素の値は全て０であり、０≦ｍ≦Ｒ−１であり、
【数１１１】
2019527969.tif 000114
は、絶対値が１である複素数であり、０≦ｎ≦Ｒ−１であり、Ｍ、ＲおよびＮｔは全て正の整数であり、Ｎｔは偶数であり、
前記処理モジュールは更に、第３チャネル情報、第４チャネル情報および第５チャネル情報を生成するよう構成され、
前記第３チャネル情報は、
【数１１２】
2019527969.tif 000115
を示すために使用され、
前記第４チャネル情報は、
【数１１３】
2019527969.tif 000116
を示すために使用され、
前記第５チャネル情報は、
【数１１４】
2019527969.tif 000117
を示すために使用され、
前記第３チャネル情報の精度は、前記第５チャネル情報の精度よりも低い、処理モジュールと、
前記第２デバイスに前記第３チャネル情報、前記第４チャネル情報および前記第５チャネル情報を送信するよう構成されている送信モジュールと
を備える、チャネル情報を送信するデバイス。
【請求項１６】
前記処理モジュールは、量子化された前記第３チャネル情報を生成し、量子化されていない前記第５チャネル情報を生成すること、または、
量子化された前記第３チャネル情報と量子化された前記第５チャネル情報とを生成することであって、前記第３チャネル情報により示される各ベクトルの量子化ビットの数は、前記第５チャネル情報の量子化ビットの数よりも少ない、生成すること、または、
量子化された前記第３チャネル情報と量子化された前記第５チャネル情報とを生成することであって、前記第３チャネル情報により示される各ベクトルの量子化ビットの数は、前記第５チャネル情報により示される任意の
【数１１５】
2019527969.tif 000118
の量子化ビットの数よりも少ない、生成すること、または、
量子化された前記第３チャネル情報と量子化された前記第５チャネル情報とを生成することであって、前記第３チャネル情報により示される任意のベクトル内の各要素の量子化ビットの数は、前記第５チャネル情報により示される任意の
【数１１６】
2019527969.tif 000119
の量子化ビットの数よりも少ない、生成すること
を行うよう具体的に構成される、請求項１５に記載のデバイス。
【請求項１７】
前記処理モジュールは、全システム帯域幅に対する前記第３チャネル情報を生成し、システム周波数帯域内の予め設定されたサブバンドごとに前記第４チャネル情報および前記第５チャネル情報を生成するよう具体的に構成される、請求項１５または１６に記載のデバイス。
【請求項１８】
前記処理モジュールは、前記第３チャネル情報、前記第４チャネル情報および前記第５チャネル情報を周期的に送信することを前記送信モジュールに命令するよう具体的に構成され、前記第３チャネル情報の送信周期は、前記第４チャネル情報の送信周期よりも長く、前記第３チャネル情報の前記送信周期は、前記第５チャネル情報の送信周期よりも長い、請求項１５から１７の何れか一項に記載のデバイス。
【請求項１９】
第１デバイスに基準信号を送信するよう構成されている送信モジュールと、
前記第１デバイスから第３チャネル情報、第４チャネル情報および第５チャネル情報を受信するよう構成されている受信モジュールであって、前記第３チャネル情報の精度は、前記第５チャネル情報の精度よりも低い、受信モジュールと、
前記第３チャネル情報、前記第４チャネル情報および前記第５チャネル情報に基づいてプリコーディング行列Ｗを決定するよう構成されている処理モジュールと
を備える第２デバイスであって、
前記送信モジュールは、前記処理モジュールにより決定された前記プリコーディング行列Ｗに基づいて前記第１デバイスにデータを送信するよう構成され、
前記プリコーディング行列Ｗは、前記第１デバイスにより、受信した前記基準信号に基づいて取得され、Ｗは、Ｎｔ行Ｒ列の行列であり、
【数１１７】
2019527969.tif 000120
であり、
【数１１８】
2019527969.tif 000121
は、Ｎｔ／２行Ｍ列の行列であり、
【数１１９】
2019527969.tif 000122
であり、
【数１２０】
2019527969.tif 000123
は、次元数がＮｔ／２である列ベクトルであり、０≦ｉ≦Ｍ−１であり、Ｎｔは、前記第２デバイスにより前記基準信号を送信するためのアンテナポートの数であり、
【数１２１】
2019527969.tif 000124
は、２Ｍ行Ｒ列の行列であり、
【数１２２】
2019527969.tif 000125
であり、
【数１２３】
2019527969.tif 000126
は、次元数がＭである単位ベクトルであり、
【数１２４】
2019527969.tif 000127
番目の要素の値のみが１であり、他の要素の値は全て０であり、０≦ｍ≦Ｒ−１であり、
【数１２５】
2019527969.tif 000128
は、絶対値が１である複素数であり、０≦ｎ≦Ｒ−１であり、Ｍ、ＲおよびＮｔは全て正の整数であり、Ｎｔは偶数であり、
前記第３チャネル情報は、
【数１２６】
2019527969.tif 000129
を示すために使用され、
前記第４チャネル情報は、
【数１２７】
2019527969.tif 000130
を示すために使用され、
前記第５チャネル情報は、
【数１２８】
2019527969.tif 000131
を示すために使用される、第２デバイス。
【請求項２０】
前記受信モジュールは、
量子化された前記第３チャネル情報を受信し、量子化されていない前記第５チャネル情報を受信すること、または、
量子化された前記第３チャネル情報と量子化された前記第５チャネル情報とを受信することであって、前記第３チャネル情報に含まれる各ベクトルの量子化ビットの数は、前記第５チャネル情報の量子化ビットの数よりも少ない、受信すること、または、
量子化された前記第３チャネル情報と量子化された前記第５チャネル情報とを受信することであって、前記第３チャネル情報により示される各ベクトルの量子化ビットの数は、前記第５チャネル情報により示される任意の
【数１２９】
2019527969.tif 000132
の量子化ビットの数よりも少ない、受信すること、または、
量子化された前記第３チャネル情報と量子化された前記第５チャネル情報とを受信することであって、前記第３チャネル情報により示される任意のベクトル内の各要素の量子化ビットの数は、前記第５チャネル情報により示される任意の
【数１３０】
2019527969.tif 000133
の量子化ビットの数よりも少ない、受信すること
を行うよう具体的に構成される、請求項１９に記載のデバイス。
【請求項２１】
前記受信モジュールは、全システム帯域幅に対して生成された前記第３チャネル情報と、システム周波数帯域内の予め設定されたサブバンドごとに生成された前記第４チャネル情報および前記第５チャネル情報とを受信するよう具体的に構成される、請求項１９または２０に記載のデバイス。
【請求項２２】
前記受信モジュールは、周期的に送信される前記第３チャネル情報、前記第４チャネル情報および前記第５チャネル情報を受信するよう具体的に構成され、前記第３チャネル情報の送信周期は、前記第４チャネル情報の送信周期よりも長く、前記第３チャネル情報の前記送信周期は、前記第５チャネル情報の送信周期よりも長い、請求項１９から２１の何れか一項に記載のデバイス。
【請求項２３】
第１デバイスにより、第２デバイスから基準信号を受信する段階と、
前記第１デバイスにより、受信した前記基準信号に基づいてプリコーディング行列を取得する段階と、
前記第１デバイスにより、前記プリコーディング行列を示すために使用される第１チャネル情報および第２チャネル情報を生成する段階と、
前記第１デバイスにより、前記第２デバイスに前記第１チャネル情報および前記第２チャネル情報を送信する段階と
を備える、チャネル情報を送信する方法であって、
前記第１チャネル情報の精度は、前記第２チャネル情報の精度よりも高く、
前記第１チャネル情報は、前記プリコーディング行列内の各要素の位相情報を含み、前記第２チャネル情報は、前記プリコーディング行列内の各要素の振幅情報を含む、チャネル情報を送信する方法。
【請求項２４】
前記第１チャネル情報の精度が前記第２チャネル情報の精度よりも高いことは、
前記第１チャネル情報が量子化されていないチャネル情報であり、前記第２チャネル情報が量子化されたチャネル情報であることを含む、請求項２３に記載の方法。
【請求項２５】
前記第１チャネル情報の精度が前記第２チャネル情報の精度よりも高いことは、
前記第１チャネル情報および前記第２チャネル情報がどちらも量子化されたチャネル情報であり、前記第１チャネル情報の量子化ビットの数が前記第２チャネル情報の量子化ビットの数よりも多いことを含む、請求項２３に記載の方法。
【請求項２６】
前記第１チャネル情報は、第１チャネルサブ情報のＫ個のグループを含み、Ｋは、正の整数であり、前記プリコーディング行列に含まれる列ベクトルの数であり、各列ベクトルが、第１チャネルサブ情報の１つのグループに対応しており、
前記第１チャネルサブ情報は、
基本的第１チャネルサブ情報であって、前記基本的第１チャネルサブ情報は、前記第１チャネルサブ情報に対応する列ベクトル内の基準要素の位相情報であり、前記基準要素の位相は、非ゼロである、基本的第１チャネルサブ情報と、
Ｌ−２個の相対的第１チャネルサブ情報であって、Ｌは、前記列ベクトルの長さであり、１つの相対的第１チャネルサブ情報が、位相が非ゼロである、前記列ベクトル内の前記基準要素以外の１つの要素に対応しており、対応する前記要素の位相と前記基準要素の前記位相との間のずれを示すために使用される、Ｌ−２個の相対的第１チャネルサブ情報と
を含み、前記基本的第１チャネルサブ情報は、量子化されていないチャネル情報であり、前記相対的第１チャネルサブ情報は、量子化されたチャネル情報である、請求項２３に記載の方法。
【請求項２７】
前記第１チャネル情報の精度が前記第２チャネル情報の精度よりも高いことは、
前記第２チャネル情報が量子化されたチャネル情報であり、それぞれの相対的第１チャネルサブ情報の量子化ビットの数が、前記第２チャネル情報の量子化ビットの数よりも多いことを含む、請求項２６に記載の方法。
【請求項２８】
前記第１チャネル情報の精度が前記第２チャネル情報の精度よりも高いことは、
前記第１デバイスが、システム周波数帯域内の予め設定されたサブバンドごとに前記第１チャネル情報を生成し、全システム帯域幅に対する前記第２チャネル情報を生成することを含む、請求項２３から２７の何れか一項に記載の方法。
【請求項２９】
前記第１チャネル情報の精度が前記第２チャネル情報の精度よりも高いことは、
前記第１チャネル情報の送信周期が前記第２チャネル情報の送信周期よりも短いことを含む、請求項２３から２８の何れか一項に記載の方法。
【請求項３０】
第２デバイスにより、第１デバイスに基準信号を送信する段階と、
前記第２デバイスにより、前記第１デバイスから第１チャネル情報および第２チャネル情報を受信する段階であって、前記第１チャネル情報および前記第２チャネル情報は、プリコーディング行列を示すために使用され、前記プリコーディング行列は、前記第１デバイスにより、受信した前記基準信号に基づいて取得され、
前記第１チャネル情報の精度は、前記第２チャネル情報の精度よりも高く、
前記第１チャネル情報は、前記プリコーディング行列内の各要素の位相情報を含み、前記第２チャネル情報は、前記プリコーディング行列内の各要素の振幅情報を含む、受信する段階と、
前記第２デバイスにより、前記第１チャネル情報および前記第２チャネル情報に基づいて前記プリコーディング行列を決定する段階と、
前記第２デバイスにより、決定した前記プリコーディング行列に基づいて前記第１デバイスにデータを送信する段階と
を備える、データを送信する方法。
【請求項３１】
前記第１チャネル情報の精度が前記第２チャネル情報の精度よりも高いことは、
前記第１チャネル情報が量子化されていないチャネル情報であり、前記第２チャネル情報が量子化されたチャネル情報であることを含む、請求項３０に記載の方法。
【請求項３２】
前記第１チャネル情報の精度が前記第２チャネル情報の精度よりも高いことは、
前記第１チャネル情報および前記第２チャネル情報がどちらも量子化されたチャネル情報であり、前記第１チャネル情報の量子化ビットの数が前記第２チャネル情報の量子化ビットの数よりも多いことを含む、請求項３０に記載の方法。
【請求項３３】
前記第１チャネル情報は、第１チャネルサブ情報のＫ個のグループを含み、Ｋは、正の整数であり、前記プリコーディング行列に含まれる列ベクトルの数であり、各列ベクトルが、第１チャネルサブ情報の１つのグループに対応しており、
前記第１チャネルサブ情報は、
基本的第１チャネルサブ情報であって、前記基本的第１チャネルサブ情報は、前記第１チャネルサブ情報に対応する列ベクトル内の基準要素の位相情報であり、前記基準要素の位相は、非ゼロである、基本的第１チャネルサブ情報と、
Ｌ−２個の相対的第１チャネルサブ情報であって、Ｌは、前記列ベクトルの長さであり、１つの相対的第１チャネルサブ情報が、位相が非ゼロである、前記列ベクトル内の前記基準要素以外の１つの要素に対応しており、対応する前記要素の位相と前記基準要素の前記位相との間のずれを示すために使用される、Ｌ−２個の相対的第１チャネルサブ情報と
を含み、前記基本的第１チャネルサブ情報は、量子化されていないチャネル情報であり、前記相対的第１チャネルサブ情報は、量子化されたチャネル情報である、請求項３０に記載の方法。
【請求項３４】
前記第１チャネル情報の精度が前記第２チャネル情報の精度よりも高いことは、
前記第２チャネル情報が量子化されたチャネル情報であり、それぞれの相対的第１チャネルサブ情報の量子化ビットの数が、前記第２チャネル情報の量子化ビットの数よりも多いことを含む、請求項３３に記載の方法。
【請求項３５】
前記第１チャネル情報の精度が前記第２チャネル情報の精度よりも高いことは、
前記第１チャネル情報が、システム周波数帯域内の予め設定された各サブバンドに対するものであり、前記第２チャネル情報が全システム帯域幅に対するものであることを含む、請求項３０から３４の何れか一項に記載の方法。
【請求項３６】
前記第１チャネル情報の精度が前記第２チャネル情報の精度よりも高いことは、
前記第１チャネル情報の送信周期が前記第２チャネル情報の送信周期よりも短いことを含む、請求項３０から３５の何れか一項に記載の方法。
【請求項３７】
第１デバイスおよび第２デバイスを備える無線通信システムであって、
前記第２デバイスは、前記第１デバイスに基準信号を送信するよう構成され、
前記第１デバイスは、受信した前記基準信号に基づいてプリコーディング行列を取得し、前記プリコーディング行列を示すために使用される第１チャネル情報および第２チャネル情報を生成し、前記第２デバイスに前記第１チャネル情報および前記第２チャネル情報を送信するよう構成され、
前記第２デバイスは更に、受信した前記第１チャネル情報および前記第２チャネル情報に基づいて前記プリコーディング行列を決定し、決定した前記プリコーディング行列に基づいて前記第１デバイスにデータを送信するよう構成され、
前記第１チャネル情報の精度は、前記第２チャネル情報の精度よりも高く、
前記第１チャネル情報は、前記プリコーディング行列内の各要素の位相情報を含み、前記第２チャネル情報は、前記プリコーディング行列内の各要素の振幅情報を含む、無線通信システム。
【請求項３８】
第１デバイスにより、第２デバイスから基準信号を受信する段階と、
前記第１デバイスにより、受信した前記基準信号に基づいてプリコーディング行列Ｗを取得する段階であって、
Ｗは、Ｎｔ行Ｒ列の行列であり、
【数１３１】
2019527969.tif 000134
であり、
【数１３２】
2019527969.tif 000135
は、Ｎｔ／２行Ｍ列の行列であり、
【数１３３】
2019527969.tif 000136
であり、
【数１３４】
2019527969.tif 000137
は、次元数がＮｔ／２である列ベクトルであり、０≦ｉ≦Ｍ−１であり、Ｎｔは、前記第２デバイスにより前記基準信号を送信するためのアンテナポートの数であり、
【数１３５】
2019527969.tif 000138
は、２Ｍ行Ｒ列の行列であり、
【数１３６】
2019527969.tif 000139
であり、
【数１３７】
2019527969.tif 000140
は、次元数がＭである単位ベクトルであり、
【数１３８】
2019527969.tif 000141
番目の要素の値のみが１であり、他の要素の値は全て０であり、０≦ｍ≦Ｒ−１であり、
【数１３９】
2019527969.tif 000142
は、絶対値が１である複素数であり、０≦ｎ≦Ｒ−１であり、Ｍ、ＲおよびＮｔは全て正の整数であり、Ｎｔは偶数である、取得する段階と、
前記第１デバイスにより、第３チャネル情報、第４チャネル情報および第５チャネル情報を生成する段階であって、
前記第３チャネル情報は、
【数１４０】
2019527969.tif 000143
を示すために使用され、
前記第４チャネル情報は、
【数１４１】
2019527969.tif 000144
を示すために使用され、
前記第５チャネル情報は、
【数１４２】
2019527969.tif 000145
を示すために使用され、
前記第３チャネル情報の精度は、前記第５チャネル情報の精度よりも低い、生成する段階と、
前記第１デバイスにより、前記第２デバイスに前記第３チャネル情報、前記第４チャネル情報および前記第５チャネル情報を送信する段階と
を備える、チャネル情報を送信する方法。
【請求項３９】
前記第３チャネル情報の精度が前記第５チャネル情報の精度よりも低いことは、
前記第３チャネル情報が量子化されたチャネル情報であり、前記第５チャネル情報が量子化されていないチャネル情報であること、または、
前記第３チャネル情報および前記第５チャネル情報がどちらも、量子化されたチャネル情報であり、前記第３チャネル情報により示される各ベクトルの量子化ビットの数が、前記第５チャネル情報の量子化ビットの数よりも少ないこと、または、
前記第３チャネル情報および前記第５チャネル情報がどちらも、量子化されたチャネル情報であり、前記第３チャネル情報により示される各ベクトルの量子化ビットの数が、前記第５チャネル情報により示される任意の
【数１４３】
2019527969.tif 000146
の量子化ビットの数よりも少ないこと、または、
前記第３チャネル情報および前記第５チャネル情報がどちらも、量子化されたチャネル情報であり、前記第３チャネル情報により示される任意のベクトル内の各要素の量子化ビットの数が、前記第５チャネル情報により示される任意の
【数１４４】
2019527969.tif 000147
の量子化ビットの数よりも少ないことを含む、請求項３８に記載の方法。
【請求項４０】
前記第３チャネル情報の精度が前記第５チャネル情報の精度よりも低いことは、
前記第１デバイスが、全システム帯域幅に対する前記第３チャネル情報を生成し、システム周波数帯域内の予め設定されたサブバンドごとに前記第４チャネル情報および前記第５チャネル情報を生成することを含む、請求項３８または３９に記載の方法。
【請求項４１】
前記第３チャネル情報の精度が前記第５チャネル情報の精度よりも低いことは、
前記第３チャネル情報の送信周期が前記第４チャネル情報の送信周期よりも長く、前記第３チャネル情報の前記送信周期が前記第５チャネル情報の送信周期よりも長いことを含む、請求項３８から４０の何れか一項に記載の方法。
【請求項４２】
第２デバイスにより、第１デバイスに基準信号を送信する段階と、
前記第２デバイスにより、前記第１デバイスから第３チャネル情報、第４チャネル情報および第５チャネル情報を受信する段階であって、前記第３チャネル情報の精度は、前記第５チャネル情報の精度よりも低い、受信する段階と、
前記第２デバイスにより、前記第３チャネル情報、前記第４チャネル情報および前記第５チャネル情報に基づいてプリコーディング行列Ｗを決定する段階と、
前記第２デバイスにより、決定した前記プリコーディング行列Ｗに基づいて前記第１デバイスにデータを送信する段階と
を備えるデータを送信する方法であって、
前記プリコーディング行列Ｗは、前記第１デバイスにより、受信した前記基準信号に基づいて取得され、Ｗは、Ｎｔ行Ｒ列の行列であり、
【数１４５】
2019527969.tif 000148
であり、
【数１４６】
2019527969.tif 000149
は、Ｎｔ／２行Ｍ列の行列であり、
【数１４７】
2019527969.tif 000150
であり、
【数１４８】
2019527969.tif 000151
は、次元数がＮｔ／２である列ベクトルであり、０≦ｉ≦Ｍ−１であり、Ｎｔは、前記第２デバイスにより前記基準信号を送信するためのアンテナポートの数であり、
【数１４９】
2019527969.tif 000152
は、２Ｍ行Ｒ列の行列であり、
【数１５０】
2019527969.tif 000153
であり、
【数１５１】
2019527969.tif 000154
は、次元数がＭである単位ベクトルであり、
【数１５２】
2019527969.tif 000155
番目の要素の値のみが１であり、他の要素の値は全て０であり、０≦ｍ≦Ｒ−１であり、
【数１５３】
2019527969.tif 000156
は、絶対値が１である複素数であり、０≦ｎ≦Ｒ−１であり、Ｍ、ＲおよびＮｔは全て正の整数であり、Ｎｔは偶数であり、
前記第３チャネル情報は、
【数１５４】
2019527969.tif 000157
を示すために使用され、
前記第４チャネル情報は、
【数１５５】
2019527969.tif 000158
を示すために使用され、
前記第５チャネル情報は、
【数１５６】
2019527969.tif 000159
を示すために使用される、方法。
【請求項４３】
前記第３チャネル情報の精度が前記第５チャネル情報の精度よりも低いことは、
前記第３チャネル情報が量子化されたチャネル情報であり、前記第５チャネル情報が量子化されていないチャネル情報であること、または、
前記第３チャネル情報および前記第５チャネル情報がどちらも、量子化されたチャネル情報であり、前記第３チャネル情報に含まれる各ベクトルの量子化ビットの数が、前記第５チャネル情報の量子化ビットの数よりも少ないこと、または、
前記第３チャネル情報および前記第５チャネル情報がどちらも、量子化されたチャネル情報であり、前記第３チャネル情報により示される各ベクトルの量子化ビットの数が、前記第５チャネル情報により示される任意の
【数１５７】
2019527969.tif 000160
の量子化ビットの数よりも少ないこと、または、
前記第３チャネル情報および前記第５チャネル情報がどちらも、量子化されたチャネル情報であり、前記第３チャネル情報により示される任意のベクトル内の各要素の量子化ビットの数が、前記第５チャネル情報により示される任意の
【数１５８】
2019527969.tif 000161
の量子化ビットの数よりも少ないことを含む、請求項４２に記載の方法。
【請求項４４】
前記第３チャネル情報の精度が前記第５チャネル情報の精度よりも低いことは、
前記第３チャネル情報が全システム帯域幅に対して生成され、前記第４チャネル情報および前記第５チャネル情報が、システム周波数帯域内の予め設定されたサブバンドごとに生成されることを含む、請求項４２または４３に記載の方法。
【請求項４５】
前記第３チャネル情報の精度が前記第５チャネル情報の精度よりも低いことは、
前記第３チャネル情報の送信周期が前記第４チャネル情報の送信周期よりも長く、前記第３チャネル情報の前記送信周期が前記第５チャネル情報の送信周期よりも長いことを含む、請求項４２から４４の何れか一項に記載の方法。
【請求項４６】
第１デバイスおよび第２デバイスを備える無線通信システムであって、
前記第２デバイスは、前記第１デバイスに基準信号を送信するよう構成され、
前記第１デバイスは、受信した前記基準信号に基づいてプリコーディング行列Ｗを取得するよう構成され、
Ｗは、Ｎｔ行Ｒ列の行列であり、
【数１５９】
2019527969.tif 000162
であり、
【数１６０】
2019527969.tif 000163
は、Ｎｔ／２行Ｍ列の行列であり、
【数１６１】
2019527969.tif 000164
であり、
【数１６２】
2019527969.tif 000165
は、次元数がＮｔ／２である列ベクトルであり、０≦ｉ≦Ｍ−１であり、Ｎｔは、前記第２デバイスにより前記基準信号を送信するためのアンテナポートの数であり、
【数１６３】
2019527969.tif 000166
は、２Ｍ行Ｒ列の行列であり、
【数１６４】
2019527969.tif 000167
であり、
【数１６５】
2019527969.tif 000168
は、次元数がＭである単位ベクトルであり、
【数１６６】
2019527969.tif 000169
番目の要素の値のみが１であり、他の要素の値は全て０であり、０≦ｍ≦Ｒ−１であり、
【数１６７】
2019527969.tif 000170
は、絶対値が１である複素数であり、０≦ｎ≦Ｒ−１であり、Ｍ、ＲおよびＮｔは全て正の整数であり、Ｎｔは偶数であり、
前記第１デバイスは更に、第３チャネル情報、第４チャネル情報および第５チャネル情報を生成するよう構成され、
前記第３チャネル情報は、
【数１６８】
2019527969.tif 000171
を示すために使用され、
前記第４チャネル情報は、
【数１６９】
2019527969.tif 000172
を示すために使用され、
前記第５チャネル情報は、
【数１７０】
2019527969.tif 000173
を示すために使用され、
前記第３チャネル情報の精度は、前記第５チャネル情報の精度よりも低く、
前記第１デバイスは更に、前記第２デバイスに前記第３チャネル情報、前記第４チャネル情報および前記第５チャネル情報を送信するよう構成され、
前記第２デバイスは更に、受信した前記第３チャネル情報、前記第４チャネル情報および前記第５チャネル情報に基づいて前記プリコーディング行列Ｗを決定し、決定した前記プリコーディング行列Ｗに基づいて前記第１デバイスにデータを送信するよう構成される、無線通信システム。
【発明の詳細な説明】
【技術分野】
【０００１】
本願は、無線通信技術の分野、特に、チャネル情報を伝送する装置および方法、ならびにシステムに関する。
【背景技術】
【０００２】
現在、ロングタームエボリューション（Ｌｏｎｇ  Ｔｅｒｍ  Ｅｖｏｌｕｔｉｏｎ、ＬＴＥ）の周波数分割複信（Ｆｒｅｑｕｅｎｃｙ  Ｄｉｖｉｓｉｏｎ  Ｄｕｐｌｅｘ、ＦＤＤ）システムでは、ユーザ機器（Ｕｓｅｒ  Ｅｑｕｉｐｍｅｎｔ、ＵＥ）が、基地局により送信された基準信号に基づいてチャネル推定を実行した後、チャネル状態情報を決定およびフィードバックする。チャネル状態情報は、ランクインジケータ（Ｒａｎｋ  Ｉｎｄｉｃａｔｏｒ、ＲＩ）、プリコーティング行列インジケータ（Ｐｒｅｃｏｄｉｎｇ  Ｍａｔｒｉｘ  Ｉｎｄｉｃａｔｏｒ、ＰＭＩ）、およびチャネル品質インジケータ（Ｃｈａｎｎｅｌ  Ｑｕａｌｉｔｙ  Ｉｎｄｉｃａｔｏｒ、ＣＱＩ）を含む。
【０００３】
ＰＭＩは、プリコーディング行列のインデックスである。ＵＥは、基地局にＰＭＩをフィードバックする。基地局は、ダウンリンクの通信品質を高めるべく、受信したＰＭＩに基づいて対応するプリコーディング行列を決定し、決定したプリコーディング行列に基づいてプリコーディング処理を実行する。ＵＥによりフィードバックされたＰＭＩの精度が、基地局からＵＥへのダウンリンク適応性能を決定する。
【０００４】
ダウンリンク適応性能を高めるべく、ＰＭＩのようなプリコーディング行列関連のチャネル情報のフィードバック精度をいかにして高めるかが、緊急に解決されるべき課題である。
【発明の概要】
【０００５】
このような事情を考慮して、プリコーディング行列関連のチャネル情報のフィードバック精度を高め、かつ、ダウンリンク適応性能を高めるべく、チャネル情報を伝送する装置および方法、ならびにシステムが提供される。
【０００６】
第１態様によると、チャネル情報を伝送する方法が提供される。当該方法では、第２デバイスが基準信号を送信し、受信した基準信号に基づいて第１デバイスがチャネル推定を実行し、プリコーディング行列を生成し、当該プリコーディング行列を示すために使用される第１チャネル情報および第２チャネル情報を生成し、生成した第１チャネル情報および第２チャネル情報を第２デバイスに送信する。第２デバイスは、受信した第１チャネル情報および第２チャネル情報に基づいてプリコーディング行列を生成し、生成したプリコーディング行列に基づいて第１デバイスにデータを送信する。
【０００７】
第１チャネル情報の精度は、第２チャネル情報の精度よりも高い。第１チャネル情報は、プリコーディング行列内の各要素の位相情報を含み、第２チャネル情報は、プリコーディング行列内の各要素の振幅情報を含む。
【０００８】
チャネル情報内の位相情報は、チャネル行列を復元するために比較的重要であり、高い精度を必要とする。振幅情報は、チャネル行列を復元するために重要な情報ではなく、比較的低い精度を有し得る。従って、プリコーディング行列の位相情報の精度は、振幅情報の精度よりも高い。一方では、チャネル情報のフィードバックオーバーヘッドを低減させることができ、他方では、チャネル情報のフィードバック精度を確保することができる。
【０００９】
代替的に、プリコーディング行列の生成後、第１デバイスは、プリコーディング行列を示すために使用される第１チャネル情報のみを生成するが、第２チャネル情報は生成せず、第２デバイスにチャネル情報を送信するときに第１チャネル情報のみを送信する。オプションとして、第１チャネル情報は、量子化されていないチャネル情報または量子化されたチャネル情報である。オプションとして、第１チャネル情報は、システム周波数帯域内の予め設定されたサブバンドごとに生成される。第１チャネル情報の受信後、第２デバイスは、第１チャネル情報に基づいてプリコーディング行列を生成し、生成したプリコーディング行列に基づいて第１デバイスにデータを送信する。プリコーディング行列を生成するとき、第２デバイスは、予め設定された振幅値をプリコーディング行列内の各要素の振幅値として用いてプリコーディング行列を生成してもよいし、ランク値または伝送アンテナポートの数のような情報に基づいて振幅値を決定した後、決定した振幅値をプリコーディング行列内の各要素の振幅値として用いてプリコーディング行列を生成してもよい。第１チャネル情報が入手可能であることから、第１チャネル情報は、比較的高い精度でフィードバックされ得る。その結果、第２デバイスが、第１チャネル情報に基づいて比較的正確なプリコーディング行列を取得し、当該比較的正確なプリコーディング行列に基づいてデータを送信することで、比較的良好なリンク適応効果が取得され、システム性能が高まる。
【００１０】
第１チャネル情報の精度が第２チャネル情報の精度よりも高くなる実装方式が複数ある。具体的な実装では、以下の方式のうちの１つまたは複数が使用され得る。
第１チャネル情報は、量子化されていないチャネル情報であり、第２チャネル情報は、量子化されたチャネル情報である。
第１チャネル情報および第２チャネル情報はどちらも量子化されたチャネル情報であり、第１チャネル情報の量子化ビットの数は、第２チャネル情報の量子化ビットの数よりも多い。
第１デバイスは、システム周波数帯域内の予め設定されたサブバンドごとに第１チャネル情報を生成し、全システム帯域幅に対する第２チャネル情報を生成する。
第１チャネル情報の送信周期が、第２チャネル情報の送信周期よりも短い。
【００１１】
比較的精度が高い、位相情報のフィードバックが、比較的短い周期、比較的集約した周波数帯域または比較的大量の量子化ビットを用いること、または、量子化を省略することなどにより実装され得る。
【００１２】
ある任意の実装によると、第１チャネル情報は、第１チャネルサブ情報のＫ個のグループを含む。ここで、Ｋは正の整数であり、プリコーディング行列に含まれる列ベクトルの数であり、各列ベクトルが、第１チャネルサブ情報の１つのグループに対応しており、
第１チャネルサブ情報は、
基本的第１チャネルサブ情報（ここで、基本的第１チャネルサブ情報は、第１チャネルサブ情報に対応する列ベクトル内の基準要素の位相情報であり、当該基準要素の位相は、非ゼロである）と、
Ｌ−２個の相対的第１チャネルサブ情報（ここで、Ｌは列ベクトルの長さであり、１つの相対的第１チャネルサブ情報が、位相が非ゼロである、列ベクトル内の基準要素以外の１つの要素に対応しており、対応する要素の位相と基準要素の位相との間のずれを示すために使用される）と
を含み、基本的第１チャネルサブ情報は、量子化されていないチャネル情報であり、相対的第１チャネルサブ情報は、量子化されたチャネル情報である。
【００１３】
この任意的な実装によると、第２チャネル情報は、量子化されたチャネル情報であってよく、それぞれの相対的第１チャネルサブ情報の量子化ビットの数は、第２チャネル情報の量子化ビットの数よりも多い。
【００１４】
この任意的な実装によると、第２チャネル情報は、量子化されたチャネル情報であってよく、それぞれの相対的第１チャネルサブ情報の量子化ビットの数は、第２チャネル情報の量子化ビットの数よりも多い。
【００１５】
第２態様によると、第１デバイスが提供される。第１デバイスは、第１態様で提供される方法において第１デバイスの挙動を実装する機能を有する。当該機能は、ハードウェアにより実装されてもよいし、対応するソフトウェアをハードウェアにより実行することによって実装されてもよい。ハードウェアまたはソフトウェアは、前述の機能に対応する１つまたは複数のモジュールを含む。
【００１６】
ある任意の実装によると、第１デバイスの構造が、プロセッサ、受信機およびトランスミッタを含む。プロセッサは、第１態様で提供される方法において対応する機能を第１デバイスが実装するのをサポートするよう構成される。受信機は、第１デバイスが基準信号を受信するのをサポートするよう構成され、更には、第１デバイスがデータを受信するのをサポートするよう構成され得る。トランスミッタは、第１デバイスがチャネル情報を送信するのをサポートするよう構成され、更には、第１デバイスがデータを送信するのをサポートするよう構成され得る。第１デバイスは更に、メモリを含み得る。メモリは、プロセッサと連結されるよう構成され、第１デバイスにとって必要なプログラム命令およびデータを記憶する。
【００１７】
第３態様によると、第２デバイスが提供される。第２デバイスは、第１態様で提供される方法において第２デバイスの挙動を実装する機能を有する。当該機能は、ハードウェアにより実装されてもよいし、対応するソフトウェアをハードウェアにより実行することによって実装されてもよい。ハードウェアまたはソフトウェアは、前述の機能に対応する１つまたは複数のモジュールを含む。
【００１８】
ある任意の実装によると、第２デバイスの構造が、プロセッサ、受信機およびトランスミッタを含む。プロセッサは、第１態様で提供される方法において対応する機能を第２デバイスが実装するのをサポートするよう構成される。トランスミッタは、第２デバイスが基準信号を送信するのをサポートするよう構成され、更には、第２デバイスがデータを送信するのをサポートするよう構成され得る。受信機は、第２デバイスがチャネル情報を受信するのをサポートするよう構成され、更には、第２デバイスがデータを受信するのをサポートするよう構成され得る。第２デバイスは更に、メモリを含み得る。メモリは、プロセッサと連結されるよう構成され、第２デバイスにとって必要なプログラム命令およびデータを記憶する。
【００１９】
第４態様によると、無線通信システムが提供される。無線通信システムは、第１態様で説明されている第１デバイスおよび第２デバイスを含む。
【００２０】
第５態様によると、コンピュータ記憶媒体が提供される。コンピュータ記憶媒体は、第１態様で第１デバイスにより使用されるコンピュータソフトウェア命令を記憶するよう構成される。コンピュータソフトウェア命令は、前述の態様を実行するよう設計されているプログラムを含む。
【００２１】
第６態様によると、コンピュータ記憶媒体が提供される。コンピュータ記憶媒体は、第１態様で第２デバイスにより使用されるコンピュータソフトウェア命令を記憶するよう構成される。コンピュータソフトウェア命令は、前述の態様を実行するよう設計されているプログラムを含む。
【００２２】
第７態様によると、チャネル情報を伝送する方法が提供される。当該方法では、第２デバイスが基準信号を送信し、第１デバイスが、受信した基準信号に基づいてチャネル推定を実行し、プリコーディング行列Ｗを生成する。ここで、ＷはＮｔ行Ｒ列の行列であり、
【数１】
2019527969.tif 000003
であり、
【数２】
2019527969.tif 000004
は、Ｎｔ／２行Ｍ列の行列であり、
【数３】
2019527969.tif 000005
であり、
【数４】
2019527969.tif 000006
は、次元数がＮｔ／２である列ベクトルであり、０≦ｉ≦Ｍ−１であり、Ｎｔは、第２デバイスにより基準信号を送信するためのアンテナポートの数であり、
【数５】
2019527969.tif 000007
は、２Ｍ行Ｒ列の行列であり、
【数６】
2019527969.tif 000008
であり、ここで、
【数７】
2019527969.tif 000009
は、次元数がＭである単位ベクトルであり、
【数８】
2019527969.tif 000010
番目の要素の値のみが１であり、他の要素の値は全て０であり、０≦ｍ≦Ｒ−１であり、
【数９】
2019527969.tif 000011
は、絶対値が１である複素数であり、０≦ｎ≦Ｒ−１であり、Ｍ、ＲおよびＮｔは全て正の整数であり、Ｎｔは偶数である。
【００２３】
第１デバイスは、第３チャネル情報、第４チャネル情報および第５チャネル情報を生成する。ここで、第３チャネル情報は、
【数１０】
2019527969.tif 000012
を示すために使用され、第４チャネル情報は、
【数１１】
2019527969.tif 000013
を示すために使用され、第５チャネル情報は、
【数１２】
2019527969.tif 000014
を示すために使用される。
【００２４】
第３チャネル情報の精度は、第５チャネル情報の精度よりも低い。第１デバイスは、第２デバイスに第３チャネル情報、第４チャネル情報および第５チャネル情報を送信する。
【００２５】
第２デバイスは、受信した第３チャネル情報、第４チャネル情報および第５チャネル情報に基づいてプリコーディング行列を生成し、生成したプリコーディング行列に基づいて第１デバイスにデータを送信する。
【００２６】
チャネル情報内の第５チャネル情報は、チャネル行列を復元するために比較的重要であり、高い精度を必要とする。第３チャネル情報は、チャネル行列を復元するために重要な情報ではなく、比較的低い精度を有し得る。従って、第５チャネル情報の精度は、第３チャネル情報の精度よりも高い。一方では、チャネル情報のフィードバックオーバーヘッドを低減させることができ、他方では、チャネル情報のフィードバック精度を確保することができる。
【００２７】
第５チャネル情報の精度が第３チャネル情報の精度よりも高くなる実装方式が複数ある。具体的な実装では、以下の方式のうちの１つまたは複数が使用され得る。
１．量子化が実行されるかどうか、および、量子化ビットの数
２．チャネル情報が全システム帯域幅に対して生成されるのか、予め設定されたサブバンドごとに別々に生成されるのか（ここで、例えば、第１デバイスは、全システム帯域幅に対する第３チャネル情報を生成し、システム周波数帯域内の予め設定されたサブバンドごとに第４チャネル情報および第５チャネル情報を生成する）
３．チャネル情報の送信周期を制御することにより、第５チャネル情報の高いフィードバック精度が実装される（ここで、例えば、第３チャネル情報の送信周期は、第４チャネル情報の送信周期よりも長く、第３チャネル情報の送信周期は、第５チャネル情報の送信周期よりも長い）。
【００２８】
量子化により第５チャネル情報のフィードバック精度が第３チャネル情報のフィードバック精度よりも高くなるように実装するために、以下の方式のうちの何れか１つが使用され得る。
第３チャネル情報は、量子化されたチャネル情報であり、第５チャネル情報は、量子化されていないチャネル情報である。または、
第３チャネル情報および第５チャネル情報はどちらも、量子化されたチャネル情報であり、第３チャネル情報により示される各ベクトルの量子化ビットの数は、第５チャネル情報の量子化ビットの数よりも少ない。または、
第３チャネル情報および第５チャネル情報はどちらも、量子化されたチャネル情報であり、第３チャネル情報により示される各ベクトルの量子化ビットの数は、第５チャネル情報により示される任意の
【数１３】
2019527969.tif 000015
の量子化ビットの数よりも少ない。または、
第３チャネル情報および第５チャネル情報はどちらも、量子化されたチャネル情報であり、第３チャネル情報により示される任意のベクトル内の各要素の量子化ビットの数は、第５チャネル情報により示される任意の
【数１４】
2019527969.tif 000016
の量子化ビットの数よりも少ない。
【００２９】
第８態様によると、第１デバイスが提供される。第１デバイスは、第７態様で提供される方法において第１デバイスの挙動を実装する機能を有する。当該機能は、ハードウェアにより実装されてもよいし、対応するソフトウェアをハードウェアにより実行することによって実装されてもよい。ハードウェアまたはソフトウェアは、前述の機能に対応する１つまたは複数のモジュールを含む。
【００３０】
ある任意の実装によると、第１デバイスの構造が、プロセッサ、受信機およびトランスミッタを含む。プロセッサは、第１態様で提供される方法において対応する機能を第１デバイスが実装するのをサポートするよう構成される。受信機は、第１デバイスが基準信号を受信するのをサポートするよう構成され、更には、第１デバイスがデータを受信するのをサポートするよう構成され得る。トランスミッタは、第１デバイスがチャネル情報を送信するのをサポートするよう構成され、更には、第１デバイスがデータを送信するのをサポートするよう構成され得る。第１デバイスは更に、メモリを含み得る。メモリは、プロセッサと連結されるよう構成され、第１デバイスにとって必要なプログラム命令およびデータを記憶する。
【００３１】
第９態様によると、第２デバイスが提供される。第２デバイスは、第７態様で提供される方法において第２デバイスの挙動を実装する機能を有する。当該機能は、ハードウェアにより実装されてもよいし、対応するソフトウェアをハードウェアにより実行することによって実装されてもよい。ハードウェアまたはソフトウェアは、前述の機能に対応する１つまたは複数のモジュールを含む。
【００３２】
ある任意の実装によると、第２デバイスの構造が、プロセッサ、受信機およびトランスミッタを含む。プロセッサは、第１態様で提供される方法において対応する機能を第２デバイスが実装するのをサポートするよう構成される。トランスミッタは、第２デバイスが基準信号を送信するのをサポートするよう構成され、更には、第２デバイスがデータを送信するのをサポートするよう構成され得る。受信機は、第２デバイスがチャネル情報を受信するのをサポートするよう構成され、更には、第２デバイスがデータを受信するのをサポートするよう構成され得る。第２デバイスは更に、メモリを含み得る。メモリは、プロセッサと連結されるよう構成され、第２デバイスにとって必要なプログラム命令およびデータを記憶する。
【００３３】
第１０態様によると、無線通信システムが提供される。無線通信システムは、第７態様で説明されている第１デバイスおよび第２デバイスを含む。
【００３４】
第１１態様によると、コンピュータ記憶媒体が提供される。コンピュータ記憶媒体は、第７態様で第１デバイスにより使用されるコンピュータソフトウェア命令を記憶するよう構成される。コンピュータソフトウェア命令は、前述の態様を実行するよう設計されているプログラムを含む。
【００３５】
第１２態様によると、コンピュータ記憶媒体が提供される。コンピュータ記憶媒体は、第７態様で第２デバイスにより使用されるコンピュータソフトウェア命令を記憶するよう構成される。コンピュータソフトウェア命令は、前述の態様を実行するよう設計されているプログラムを含む。
【図面の簡単な説明】
【００３６】
【図１】本願のある実施形態に係る無線通信システムの概略構造図である。
【００３７】
【図２】本願のある実施形態に係るチャネル推定のフローチャートである。
【００３８】
【図３】本願のある実施形態に係る、第１チャネル情報を報告する解決手段のフローチャートである。
【００３９】
【図４】本願のある実施形態に従って、第１デバイスにより、第１チャネル情報を全システム周波数帯域のサブバンドごとに生成した概略図である。
【００４０】
【図５】本願のある実施形態に従って、第１デバイスにより、第２チャネル情報を全システム周波数帯域に対して生成した概略図である。
【００４１】
【図６】本願のある実施形態に係る、第２チャネル情報を報告する解決手段のフローチャートである。
【００４２】
【図７】本願のある実施形態に従って、第１デバイスにより、第３チャネル情報を全システム周波数帯域に対して生成した概略図である。
【００４３】
【図８】本願のある実施形態に従って、第１デバイスにより、第３チャネル情報をＺＣシーケンスに変調して送信した概略図である。
【００４４】
【図９】本願のある実施形態に従って、第１デバイスにより、第４チャネル情報を全システム周波数帯域のサブバンドごとに生成した概略図である。
【００４５】
【図１０】本願のある実施形態に従って、第１デバイスにより、第５チャネル情報を全システム周波数帯域のサブバンドごとに生成した概略図である。
【００４６】
【図１１】本願のある実施形態に係る第１の第１デバイスの概略構造図である。
【００４７】
【図１２】本願のある実施形態に係る第２の第１デバイスの概略構造図である。
【００４８】
【図１３】本願のある実施形態に係る第１の第２デバイスの概略構造図である。
【００４９】
【図１４】本願のある実施形態に係る第２の第２デバイスの概略構造図である。
【発明を実施するための形態】
【００５０】
本願の目的、解決手段および利点をより分かりやすくするために、以下に詳しい説明を提供する。詳しい説明では、ブロック図およびフローチャートのような添付図面および／または例を用いることにより、装置および／または方法の様々な実装を示している。これらのブロック図、フローチャートおよび／または例は、１つまたは複数の機能および／または操作を含む。当業者であれば、これらのブロック図、フローチャートおよび／または例における各機能および／または操作が、様々なハードウェア、ソフトウェアおよびファームウェアならびに／またはそれらの任意の組み合わせを用いることにより、別個にかつ／または一緒に実行され得ることを理解し得る。
【００５１】
本願の実施形態をより分かりやすくすべく、以下ではまず、本願の実施形態における幾つかの記述について説明する。これらの説明は、本発明により必要とされる保護範囲に対する限定とは見なされないものとする。
【００５２】
１．チャネル行列
【００５３】
無線通信システムにおいて、送信信号がｘであり、受信信号がｙであり、ｘとｙとの間のチャネルのチャネルインパルス応答がｈであり、加算性ガウス雑音がｎであると仮定すると、受信信号ｙおよび送信信号ｘが以下の関係を満たす。
【数１５】
2019527969.tif 000017
【００５４】
Ｎｔ個の伝送アンテナおよびＮｒ個の受信アンテナを有する多入力多出力（Ｍｕｌｔｉｐｌｅ  Ｉｎｐｕｔ  Ｍｕｌｔｉｐｌｅ  Ｏｕｔｐｕｔ、ＭＩＭＯ）システムについては、受信信号ｙおよび送信信号ｘが以下の関係を満たす。
【数１６】
2019527969.tif 000018
ここで、
【数１７】
2019527969.tif 000019
であり、
【数１８】
2019527969.tif 000020
であり、Ｈはチャネル行列であり、
【数１９】
2019527969.tif 000021
であり、
【数２０】
2019527969.tif 000022
である。
【００５５】
チャネル行列Ｈのｉ番目の行およびｊ番目の列が、ｊ番目の伝送アンテナからｉ番目の受信アンテナへの複素数値チャネル利得を示す。
【００５６】
Ｎｔ＝１かつＮｒ＞１であるとき、ＭＩＭＯシステムは、単入力多出力（Ｓｉｎｇｌｅ  Ｉｎｐｕｔ  Ｍｕｌｔｉｐｌｅ  Ｏｕｔｐｕｔ、ＳＩＭＯ）システムである。または、Ｎｔ＞１かつＮｒ＝１であるとき、ＭＩＭＯシステムは、多入力単出力（Ｍｕｌｔｉｐｌｅ  Ｉｎｐｕｔ  Ｓｉｎｇｌｅ  Ｏｕｔｐｕｔ、ＭＩＳＯ）システムである。ＳＩＭＯシステムおよびＭＩＳＯシステムはどちらも、ＭＩＭＯシステムの特定の場合と見なされ得る。本願の実施形態は、ＭＩＭＯシステムに適用できる。
【００５７】
２．プリコーディング行列
【００５８】
信号伝送側が伝送側と受信側との間のチャネルに関するチャネル情報を取得した後、取得したチャネル情報に基づいて被送信信号の事前処理を実行し得る。データストリーム間の幾つかまたは全ての干渉が伝送側で予め排除されてよく、データ送信用リンク適応が実装されてよい。言い換えれば、データストリーム間の干渉を最大限に低減させるべく、異なるデータ送信方式が異なるチャネル条件に応じて使用され得る。
【００５９】
伝送側がプリコーディング処理を実行するときに使用される行列が「プリコーディング行列」である。
【００６０】
伝送側がプリコーディング処理を実行した後の受信信号ｙと送信信号ｘとの関係が以下の式で示され得る。
【数２１】
2019527969.tif 000023
ここで、Ｆはプリコーディング行列である。
【００６１】
３．現在のＬＴＥ  ＦＤＤシステムにおけるダウンリンク送信中の事前処理方法
【００６２】
基地局がＵＥに測定基準信号を送信する。ＵＥは、受信した測定基準信号に基づいてチャネル推定を実行してチャネル行列Ｈを取得し、予め設定されたコードブックセットＣ＝｛Ｗｉ｝からプリコーディング行列Ｓを選択する。これにより、能力が最大化されるか、または、信号対雑音比（Ｓｉｇｎａｌ−ｔｏ−Ｎｏｉｓｅ  Ｒａｔｉｏ、ＳＮＲ）が最大化される。ＵＥは、選択したプリコーディング行列のインデックスＰＭＩを基地局にフィードバックする。
【００６３】
例えば、以下の表には、アンテナポートの数が２であるコードブックが示されている。現在のところ、ランクが１であるプリコーディング行列は４つしかない。
【表１】
2019527969.tif 000024
【００６４】
ＵＥによりフィードバックしたプリコーディング行列は量子化されていることが分かる。従って、誤差が存在する結果、基地局により取得されたチャネル情報は不正確であり、リンク適応性能は低い。
【００６５】
４．別のチャネル情報フィードバック方法
【００６６】
基地局がＵＥに測定基準信号を送信する。ＵＥは、受信した測定基準信号に基づいてチャネル推定を実行してチャネル行列Ｈを取得し、ＵＥは、Ｈを説明するために使用されるチャネル情報を基地局に直接フィードバックする。この場合は、フィードバックした情報量が比較的多く、オーバーヘッドが大きい。その結果、データ伝送効率が低下し、システム性能が低下する。
【００６７】
本願の実施形態によると、フィードバックされるチャネル情報の中で、チャネル行列を復元するために比較的重要であり、かつ、高精度を必要とする情報には、例えば、量子化を省略すること、または、比較的大量の量子化ビットで量子化を実行することにより、別の例では、比較的短い周期を用いてフィードバックを実行することにより、別の例では、全システム帯域幅に対するフィードバックを実行する代わりに、システム帯域幅内の予め設定されたサブバンドごとにフィードバックを実行することにより、比較的高いフィードバック精度が使用される。
【００６８】
例としては、以下の解決手段１における第１チャネル情報、すなわち、プリコーディング行列内の各要素の量子化されていない位相情報が挙げられる。別の例としては、以下の解決手段２における第４チャネル情報（例えば、列選択情報）および第５チャネル情報（例えば、同相（ｃｏ−ｐｈａｓｉｎｇ）情報）が挙げられる。係る情報は、比較的高いフィードバック精度でフィードバックされる。
【００６９】
オプションとして、フィードバックされるチャネル情報の中で、チャネル行列を復元するためにそれほど重要ではなく、かつ、高精度を必要としない情報は、例えば、量子化の際に比較的少量の量子化ビットを用いることにより、別の例では、比較的長いフィードバック周期を用いてフィードバックを実行することにより、別の例では、全システム帯域幅に対するフィードバックを実行することにより、比較的低いフィードバック精度でフィードバックされる。
【００７０】
例としては、以下の解決手段１における第２チャネル情報、すなわち、プリコーディング行列内の各要素の振幅情報が挙げられる。別の例としては、以下の解決手段２における第３チャネル情報が挙げられる。係る情報は、比較的低いフィードバック精度でフィードバックされる。
【００７１】
これによって、チャネル情報精度を確保しながら、システムオーバーヘッドを効果的に低減させ、システム性能を高める。
【００７２】
以下では、添付の図面を参照しながら本願の実施形態について詳しく説明する。
【００７３】
図１は、本願のある実施形態に係る無線通信システムの概略構造図である。図１に示されている通り、無線通信システムは、第１デバイス１０１および第２デバイス１０２を含む。
【００７４】
第２デバイス１０２は、第１デバイス１０１に基準信号を送信する。第１デバイス１０１は、第２デバイス１０２から受信した基準信号に基づいてチャネル推定を実行し、チャネル推定結果を示すために使用されるチャネル情報を第２デバイス１０２に送信する。第２デバイス１０２は、受信したチャネル情報に基づいて第１デバイス１０１にデータを送信する。
【００７５】
図２には、前述した第１デバイス１０１と第２デバイス１０２との間のインタラクションプロセスが示され得る。
【００７６】
第１デバイス１０１は基地局のようなネットワークデバイスであってよく、第２デバイス１０２は端末デバイスであってよい。代替的に、第１デバイス１０１は端末デバイスであってよく、第２デバイス１０２はネットワークデバイスであってよい。代替的に、第１デバイス１０１および第２デバイス１０２はどちらも端末デバイスである。代替的に、第１デバイス１０１および第２デバイス１０２はどちらもネットワークデバイスである。
【００７７】
第２デバイス１０２が第１デバイス１０１に基準信号を送信すること、および、第１デバイス１０１が当該基準信号に基づいてチャネル推定を実行し、チャネル情報をフィードバックする限り、本願のこの実施形態で提供される解決手段は、チャネル情報を報告してデータを送信することによって、より正確なチャネル推定結果を取得し、かつ、リンク適応性能を高めるために使用され得る。
【００７８】
加えて、第１デバイス１０１と第２デバイス１０２との間の通信にどちらの複信方式、例えば、前述のＦＤＤ方式または時分割複信（Ｔｉｍｅ  Ｄｉｖｉｓｉｏｎ  Ｄｕｐｌｅｘ、ＴＤＤ）方式が使用されるかに関わらず、本願のこの実施形態で提供される解決手段は、正確なチャネル推定結果を取得し、かつ、リンク適応性能を高めるために使用され得る。
【００７９】
第１デバイス１０１と第２デバイス１０２との間の通信のための通信規格は、限定されるわけではないが、グローバルシステム・フォー・モバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、符号分割多元接続（Ｃｏｄｅ  Ｄｉｖｉｓｉｏｎ  Ｍｕｌｔｉｐｌｅ  Ａｃｃｅｓｓ、ＣＤＭＡ）ＩＳ−９５、符号分割多元接続（Ｃｏｄｅ  Ｄｉｖｉｓｉｏｎ  Ｍｕｌｔｉｐｌｅ  Ａｃｃｅｓｓ、ＣＤＭＡ）２０００、時分割同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、時分割複信ロングタームエボリューション（Ｔｉｍｅ  Ｄｉｖｉｓｉｏｎ  Ｄｕｐｌｅｘ−Ｌｏｎｇ  Ｔｅｒｍ  Ｅｖｏｌｕｔｉｏｎ、ＴＤＤ  ＬＴＥ）、周波数分割複信ロングタームエボリューション（Ｆｒｅｑｕｅｎｃｙ  Ｄｉｖｉｓｉｏｎ  Ｄｕｐｌｅｘ−Ｌｏｎｇ  Ｔｅｒｍ  Ｅｖｏｌｕｔｉｏｎ、ＦＤＤ  ＬＴＥ）、ロングタームエボリューションアドバンスト（Ｌｏｎｇ  Ｔｅｒｍ  Ｅｖｏｌｕｔｉｏｎ−Ａｄｖａｎｃｅｄ、ＬＴＥ−ａｄｖａｎｃｅｄ）、パーソナルハンディフォンシステム（Ｐｅｒｓｏｎａｌ  Ｈａｎｄｙ−ｐｈｏｎｅ  Ｓｙｓｔｅｍ、ＰＨＳ）、８０２．１１シリーズのプロトコルで規定されているワイヤレスフィディリティ（Ｗｉｒｅｌｅｓｓ  Ｆｉｄｅｌｉｔｙ、Ｗｉ−Ｆｉ）、ワールドワイド・インターオペラビリティ・フォー・マイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）、および様々な未来進化型の無線通信システムを含む。
【００８０】
端末デバイスは無線端末であってよい。無線端末は、ユーザに音声および／またはデータ接続性を提供するデバイス、無線接続機能を有するハンドヘルドデバイス、または、無線モデムに接続されている別の処理デバイスであってよい。無線端末は、無線アクセスネットワーク（ＲＡＮ、Ｒａｄｉｏ  Ａｃｃｅｓｓ  Ｎｅｔｗｏｒｋなど）を用いて１つまたは複数のコアネットワークと通信し得る。無線端末は、携帯電話（別名「セルラー」フォン）のような移動端末、および移動端末を有するコンピュータであってよく、例えば、無線アクセスネットワークと音声および／またはデータを交換する、携帯用、ポケットサイズ、ハンドヘルド、コンピュータ内蔵型または車載型のモバイル機器であってよい。例えば、無線端末は、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、コードレス電話機、セッション開始プロトコル（ＳＩＰ）電話、無線ローカルループ（ＷＬＬ、Ｗｉｒｅｌｅｓｓ  Ｌｏｃａｌ  Ｌｏｏｐ）局、またはパーソナルデジタルアシスタント（ＰＤＡ、Ｐｅｒｓｏｎａｌ  Ｄｉｇｉｔａｌ  Ａｓｓｉｓｔａｎｔ）のようなデバイスであってよい。無線端末は、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）またはユーザ機器（Ｕｓｅｒ  Ｅｑｕｉｐｍｅｎｔ）と称されてもよい。
【００８１】
ネットワークデバイスは、基地局、または、基地局を制御するよう構成されている無線リソース管理デバイスを含んでもよいし、基地局、および、基地局を制御するよう構成されている無線リソース管理デバイスを含んでもよい。基地局は、マクロセル、または、スモールセル（ｓｍａｌｌ  ｃｅｌｌ）またはピコセル（ｐｉｃｏ  ｃｅｌｌ）のようなスモールセルであってよい。代替的に、基地局は、ホームノードＢ（Ｈｏｍｅ  ＮｏｄｅＢ、ＨＮＢ）またはホーム進化型ノードＢ（Ｈｏｍｅ  ｅＮｏｄｅＢ、ＨｅＮＢ）のようなホーム基地局であってよい。代替的に、基地局は、中継ノード（ｒｅｌａｙ）などを含み得る。
【００８２】
例えば、ＴＤＤ  ＬＴＥシステム、ＦＤＤ  ＬＴＥシステムまたはＬＴＥ−ＡシステムのようなＬＴＥシステムについては、ネットワークデバイスが進化型ノードＢ（ｅｖｏｌｖｅｄ  ＮｏｄｅＢ、ｅＮｏｄｅＢ）であってよく、端末デバイスがＵＥであってよい。ＴＤ−ＳＣＤＭＡシステムまたはＷＣＤＭＡ（登録商標）システムについては、ネットワークデバイスがノードＢ（ＮｏｄｅＢ）および／または無線ネットワークコントローラ（Ｒａｄｉｏ  Ｎｅｔｗｏｒｋ  Ｃｏｎｔｒｏｌｌｅｒ、ＲＮＣ）を含んでよく、端末デバイスがＵＥであってよい。ＧＳＭ（登録商標）システムについては、ネットワークデバイスがベーストランシーバーステーション（Ｂａｓｅ  Ｔｒａｎｓｃｅｉｖｅｒ  Ｓｔａｔｉｏｎ、ＢＴＳ）および／または基地局コントローラ（Ｂａｓｅ  Ｓｔａｔｉｏｎ  Ｃｏｎｔｒｏｌｌｅｒ、ＢＳＣ）を含んでよく、端末デバイスが移動局（Ｍｏｂｉｌｅ  Ｓｔａｔｉｏｎ、ＭＳ）であってよい。Ｗｉ‐Ｆｉシステムについては、ネットワークデバイスがアクセスポイント（Ａｃｃｅｓｓ  Ｐｏｉｎｔ、ＡＰ）および／またはアクセスコントローラ（Ａｃｃｅｓｓ  Ｃｏｎｔｒｏｌｌｅｒ、ＡＣ）を含んでよく、端末デバイスが局（Ｓｔａｔｉｏｎ、ＳＴＡ）であってよい。
【００８３】
以下の図３および図６は、チャネル情報を報告する解決手段を２つ示している。
【００８４】
以下では、図３および図６に示されている２つの解決手段について別々に説明する。
【００８５】
図３は、本願のある実施形態に係る、第１チャネル情報を報告する解決手段の手順を示している。図３に示されている通り、当該手順は以下の段階を含む。
【００８６】
Ｓ３０１：第２デバイス１０２が第１デバイス１０１に基準信号を送信する。ここで、基準信号は、第２デバイス１０２から第１デバイス１０１へのチャネルに対するチャネル推定を実行するために使用される。
【００８７】
オプションとして、第２デバイス１０２がＬＴＥシステム内の基地局であり、かつ、第１デバイス１０１がＬＴＥシステム内のユーザ機器であるとき、基準信号は、復調用基準信号（Ｄｅｍｏｄｕｌａｔｉｏｎ  Ｒｅｆｅｒｅｎｃｅ  Ｓｉｇｎａｌ、ＤＭＲＳ）であってよい。
【００８８】
Ｓ３０２：第１デバイス１０１は、基準信号に基づいてチャネル推定を実行して、チャネル行列Ｈを取得する。
【００８９】
Ｓ３０３：第１デバイス１０１は、チャネル行列Ｈに基づいてプリコーディング行列を取得する。
【００９０】
第１デバイス１０１がチャネル行列Ｈに基づいてプリコーディング行列を取得するとき、特異値分解（Ｓｉｎｇｕｌａｒ  Ｖａｌｕｅ  Ｄｅｃｏｍｐｏｓｉｔｉｏｎ、ＳＶＤ）または別の方式が使用され得る。
【００９１】
Ｓ３０４：第１デバイス１０１は、プリコーディング行列（「行列Ｗ」と表示）を説明するために使用される第１チャネル情報および第２チャネル情報を生成する。
【００９２】
第１チャネル情報は、行列Ｗ内の各要素の位相情報を含む。
【００９３】
第２チャネル情報は、行列Ｗ内の各要素の振幅情報を含む。
【００９４】
Ｓ３０５：第１デバイス１０１は、生成した第１チャネル情報および第２チャネル情報を第２デバイス１０２に送信する。
【００９５】
第１デバイス１０１は、第１チャネル情報および第２チャネル情報を一緒に第２デバイス１０２へ送信してもよいし、これら２種類のチャネル情報を第２デバイス１０２へ別々に送信してもよい。
【００９６】
例えば、第１チャネル情報および第２チャネル情報が量子化されている場合は、第１チャネル情報および第２チャネル情報が処理された、例えば、符号化または変調された後、第２デバイス１０２に送信される。または、第１チャネル情報および第２チャネル情報が量子化されていない場合は、第１チャネル情報および第２チャネル情報がＺＣシーケンスに直接保持され、第２デバイス１０２に送信され得る。ＺＣシーケンスの自己相関特性および相互相関特性が比較的良好であることから、第２デバイス１０２がＺＣシーケンスからチャネル情報を取得するときに、比較的良好な信号復調性能を取得することができ、チャネル情報の取得正確度を高めることができる。
【００９７】
ＺＣシーケンスは単なる例に過ぎない。代替的に、第１チャネル情報および第２チャネル情報は、第２デバイス１０２がチャネル情報を取得できる限り、別のシーケンスに保持されて送信されてもよいし、別の方式で送信されてもよい。
【００９８】
ＺＣシーケンスまたは別のシーケンスに保持される方式は、実際のところ物理層送信方式である。実際は、チャネル情報が媒体アクセス制御（Ｍｅｄｉｕｍ  Ａｃｃｅｓｓ  Ｃｏｎｔｒｏｌ、ＭＡＣ）シグナリング、または、より上位層のシグナリング、例えば、（Ｒａｄｉｏ  Ｒｅｓｏｕｒｃｅ  Ｃｏｎｔｒｏｌ、ＲＲＣ）シグナリングを用いて伝送されてもよい。
【００９９】
Ｓ３０６：第２デバイス１０２は、受信した第１チャネル情報および第２チャネル情報に基づいてプリコーディング行列を生成し、生成したプリコーディング行列に基づいて、第１デバイス１０１にデータを送信するために使用される送信方式を決定する。生成したプリコーディング行列に基づいて、第２デバイス１０２によりデータ送信方式を決定するための方法については、量子化されたプリコーディング行列に基づいて、基地局によりデータ送信方式を決定する先行技術の方法を参照されたい。
【０１００】
Ｓ３０７：第２デバイス１０２は、決定した送信方式で第１デバイス１０１にデータを送信する。
【０１０１】
段階Ｓ３０４では、第１デバイス１０１が第１チャネル情報を生成するときに、第１デバイス１０１が、システム周波数帯域内の予め設定されたサブバンドごとに第１チャネル情報を生成し得る。
【０１０２】
これは、大規模なシミュレーションおよび実験から、行列Ｗ内の各要素の位相情報がチャネル行列を復元するために比較的重要であり、かつ、行列Ｗ内の各要素の振幅情報が位相情報ほど重要ではないことが分かるからである。従って、第１デバイス１０１がチャネル情報をフィードバックするとき、第１チャネル情報の精度は、第２チャネル情報の精度よりも高い。具体的な実装では、例えば、量子化、フィードバック周期、および、チャネル情報がサブバンドに対して生成されるのか全システム帯域幅に対して生成されるのか、といった様々な手段が使用され得る。例えば、
第１チャネル情報は、量子化されていないチャネル情報であり、第２チャネル情報は、量子化されたチャネル情報である。
第１チャネル情報および第２チャネル情報はどちらも、量子化されたチャネル情報であり、第１チャネル情報の量子化ビットの数は、第２チャネル情報の量子化ビットの数よりも多い。
第１チャネル情報は、システム周波数帯域内の予め設定されたサブバンドごとに生成され、第２チャネル情報は、全システム帯域幅に対して生成される。
第１チャネル情報の送信周期は、第２チャネル情報の送信周期よりも短い。
【０１０３】
以下では、第１チャネル情報および第２チャネル情報のフィードバックについて別々に詳しく説明する。
【０１０４】
１．第１チャネル情報を生成およびフィードバックする方式
【０１０５】
（１）量子化方式
【０１０６】
第１チャネル情報には、以下の量子化方式のうちの１つが使用され得る。
方式１：第１チャネル情報の量子化を省略し、アナログパラメータを直接フィードバックする。
方式２：第１チャネル情報に高精度の量子化方式を使用する。
【０１０７】
第１チャネル情報に高精度の量子化方式を用いることによって、第２デバイス１０２により取得される第１チャネル情報の精度が確保され得る。その結果、比較的正確なプリコーディング行列が取得され、当該比較的正確なプリコーディング行列に基づいてデータが送信され、比較的良好なリンク適応効果を取得でき、システム性能が高まる。
【０１０８】
オプションとして、第１チャネル情報の量子化のための量子化ビットの数は、第２チャネル情報の量子化のための量子化ビットの数以上である。このように、第１チャネル情報および第２チャネル情報は別様に処理される。チャネル行列を復元するために重要である位相情報には、高精度の量子化が使用され、それほど重要ではない振幅情報には、低精度の量子化が使用される。これによってチャネル情報のフィードバック精度を確保できるだけでなく、情報フィードバック量を効果的に低減させ、システムオーバーヘッドを低減させ、データ伝送効率を高めることもできる。
【０１０９】
方式３：グループ内の第１チャネル情報を送信する。ここで、各グループには、量子化されていない情報もあれば、高精度に量子化されている情報もある。
【０１１０】
第１チャネル情報は、第１チャネルサブ情報のＫ個のグループに分割される。ここで、Ｋは正の整数であり、プリコーディング行列Ｗに含まれる列ベクトルの数であり、各列ベクトルが第１チャネルサブ情報の１つのグループに対応している。
【０１１１】
第１チャネルサブ情報は更に、
基本的第１チャネルサブ情報（ここで、基本的第１チャネルサブ情報は、第１チャネルサブ情報に対応する列ベクトル内の基準要素の位相情報であり、基準要素の位相は、非ゼロであり、基本的第１チャネルサブ情報は量子化されていない）と、
Ｌ−２個の相対的第１チャネルサブ情報（ここで、Ｌは列ベクトルの長さ、すなわち、第２デバイス１０２の伝送アンテナポートの数である。１つの相対的第１チャネルサブ情報が、位相が非ゼロである、列ベクトル内の基準要素以外の１つの要素に対応しており、対応する要素の位相と基準要素の位相との間のずれを示すために使用され、相対的第１チャネルサブ情報は、量子化されたチャネル情報である）と
を含む。
【０１１２】
オプションとして、相対的第１チャネルサブ情報の量子化のための量子化ビットの数は、第２チャネル情報の量子化のための量子化ビットの数以上である。同様に、このように、第１チャネル情報および第２チャネル情報は別様に処理される。チャネル行列を復元するために重要である位相情報には、高精度の量子化が使用され、それほど重要ではない振幅情報には、低精度の量子化が使用される。これによってチャネル情報のフィードバック精度を確保できるだけでなく、情報フィードバック量を効果的に低減させ、システムオーバーヘッドを低減させ、データ伝送効率を高めることもできる。
【０１１３】
以下では、例を用いて方式３について説明する。
【０１１４】
行列Ｗの任意の列ベクトルの位相情報が以下の通り表され得ると仮定する。
【数２２】
2019527969.tif 000025
【０１１５】
【数２３】
2019527969.tif 000026
は、列ベクトルｖの最初のＬ−１個の要素の位相であり、Ｌは第２デバイス１０２の伝送アンテナポートの数である。別の位相を表すために任意の位相が使用される。例えば、
【数２４】
2019527969.tif 000027
【０１１６】
式２では、基準要素が第１要素
【数２５】
2019527969.tif 000028
（言うまでもなく、基準要素は、位相が非ゼロである限り、列ベクトル内の別の要素であってよい）である。基本的第１チャネルサブ情報は、
【数２６】
2019527969.tif 000029
を説明するために使用され、第１デバイス１０１は、フィードバック中にアナログパラメータを用いて
【数２７】
2019527969.tif 000030
をフィードバックし得る。
【０１１７】
【数２８】
2019527969.tif 000031
は、前述したＬ−２個の相対的第１チャネルサブ情報により説明される情報である。これらの関連因子は、量子化後にフィードバックされ得る。
【０１１８】
このように、列ベクトルの位相情報全てに対して、たった１つのアナログパラメータと、Ｌ−２個の量子化されたデジタルパラメータとがフィードバックされるべきである。これによって、Ｌ−１個のアナログパラメータの直接的フィードバックと比べてオーバーヘッドが低減する。
【０１１９】
（２）生成方式
【０１２０】
図４を参照して、全システム周波数帯域が１０個のサブバンド（ｓｕｂｂａｎｄ）、例えば、図４に示されているサブバンド１からサブバンド１０に予め分割されていると仮定する。
【０１２１】
オプションとして、第１デバイス１０１は、１０個のサブバンドの各々に対して対応する第１チャネル情報を生成する。
【０１２２】
ＬＴＥシステムを例として用いると、第１デバイス１０１は、ＲＢをＰ個ごとに１つのグループとして用いることによりプリコーディング行列を測定し得る。ここで、Ｐは正の整数である。例えば、１０ＭＨｚのシステム周波数帯域（５０個のリソースブロック（Ｒｅｓｏｕｒｃｅ  Ｂｌｏｃｋ，ＲＢ））については、第１デバイス１０１が、ＲＢを１０個ごとに１つのグループとして用いることによりプリコーディング行列を測定し、当該プリコーディング行列の位相情報をフィードバックする。これはサブバンドベースのフィードバックである。
【０１２３】
このように、第２デバイス１０２は、各サブバンドの第１チャネル情報を取得し得る。ブロードバンドのフィードバック（すなわち、チャネル情報が全システム周波数帯域に対してフィードバックされる）と比べて、サブバンドベースのフィードバックは、比較的高いフィードバック精度を有しており、システム性能を効果的に高めることもできる。
【０１２４】
サブバンド幅は予め設定された値であってもよいし、特定の状況に応じて第１デバイス１０１により決定されてもよいし、メッセージを用いて第２デバイス１０２により第１デバイス１０１へ通知されてもよい。例えば、第１デバイス１０１が、受信した基準信号に基づいてチャネル推定を実行し、チャネル品質が比較的良好であると判断するとき、第１デバイス１０１は、サブバンド幅を比較的大きい値に設定し得る。または、第１デバイス１０１が、チャネル品質が比較的低いと判断するとき、第１デバイス１０１は、第１チャネル情報を比較的高い精度でフィードバックすべく、サブバンド幅を比較的小さい値に設定し得る。別の例として、第１デバイス１０１は、被送信データの量に基づいてサブバンド幅を設定し得る。被送信データの量が比較的少ないとき、第１デバイス１０１は、サブバンド幅を比較的小さい値に設定し得る。この場合は、第１チャネル情報のオーバーヘッドが比較的大きいものの、被送信データの量が少ないことによりシステム性能が著しく影響されることはない。被送信データの量が比較的多い場合、第１デバイス１０１は、第１チャネル情報のオーバーヘッドを低減させ、かつ、データ送信を保証すべく、サブバンド幅を比較的大きい値に設定し得る。
【０１２５】
（３）フィードバック周期
【０１２６】
第１デバイス１０１は、比較的短い周期で第１チャネル情報をフィードバックしてよく、比較的長い周期で第２チャネル情報をフィードバックしてよい。このように、第２デバイス１０２は、比較的正確なプリコーディング行列を生成すべく、比較的集約した第１チャネル情報を取得することができる。
【０１２７】
例えば、ＬＴＥシステムにおいて、第１デバイス１０１がＵＥであり、第２デバイス１０２が基地局である場合、現在のＬＴＥシステムにおいて、ＵＥが基地局に第１チャネル情報を送信する周期は、ＰＭＩフィードバック周期以下であってよい。例えば、現在のＦＤＤ  ＬＴＥシステムにおけるＰＭＩフィードバック周期は５ミリ秒（ｍｓ）であり、本願のこの実施形態において第１デバイス１０１が第１チャネル情報をフィードバックする周期は２ｍｓであってよい。
【０１２８】
要約すると、第１チャネル情報を生成およびフィードバックするときに、第１デバイス１０１は、サブバンドごとに第１チャネル情報を生成し、非量子化アナログ方式または高精度の量子化デジタル方式で第１チャネル情報をフィードバックし、比較的短いフィードバック周期で第１チャネル情報をフィードバックし得る。このように、第２デバイス１０２は、比較的正確で比較的重要な位相情報を取得し得る。
【０１２９】
２．第２チャネル情報を生成およびフィードバックする方式
【０１３０】
（１）量子化方式
【０１３１】
第２チャネル情報には、精度の異なる量子化方式、特に、低精度の量子化方式が使用され得る。例えば、行列Ｗ内の要素の振幅値が０．１８５５である。２ビット量子化の後に取得される値が０．２５であり、４ビット量子化の後に取得される値が０．１８７５である。４ビット量子化の量子化精度は、２ビット量子化の量子化精度よりも高い。
【０１３２】
（２）生成方式
【０１３３】
図５を参照すると、第１デバイス１０１は、全システム周波数帯域に対して第２チャネル情報を生成し得る。言い換えれば、ブロードバンドベースのフィードバックを実行し、全帯域幅に関する行列Ｗの振幅情報を測定し、振幅情報をフィードバックする。
【０１３４】
（３）フィードバック周期
【０１３５】
第１デバイス１０１は、比較的長い周期で第２チャネル情報をフィードバックし得る。これによって、第２チャネル情報の情報量を単位時間内で効果的に制御し、第２チャネル情報のオーバーヘッドを低減させることができる。
【０１３６】
ＬＴＥシステムを更に例として用いると、第１デバイス１０１がＵＥであり、第２デバイス１０２が基地局である場合、現在のＬＴＥシステムにおいて、ＵＥが第２チャネル情報を基地局に送信する周期は、ＰＭＩフィードバック周期以上であってよい。例えば、現在のＦＤＤ  ＬＴＥシステムにおけるＰＭＩフィードバック周期は５ミリ秒（ｍｓ）であり、本願のこの実施形態において第１デバイス１０１が第２チャネル情報をフィードバックする周期は５ｍｓまたは１０ｍｓなどであってよい。
【０１３７】
要約すると、第２チャネル情報を生成およびフィードバックするときに、第１デバイス１０１は、全システム周波数帯域に対して第２チャネル情報を生成し、低精度の量子化デジタル方式で第２チャネル情報をフィードバックし、比較的長いフィードバック周期で第２チャネル情報をフィードバックし得る。これによって、第２チャネル情報のオーバーヘッドを最大限に低減させ、システム性能を高めることができる。
【０１３８】
加えて、別の方式によると、第１デバイス１０１は、第２チャネル情報を送信せず、第２デバイス１０２に第１チャネル情報のみを送信する。言い換えれば、段階Ｓ３０４で第１デバイス１０１が第２チャネル情報を生成することはなく、段階Ｓ３０５で第１デバイス１０１が第２チャネル情報を送信することもない。
【０１３９】
第１チャネル情報の受信後、第２デバイス１０２は、予め設定された振幅値をプリコーディング行列内の各要素の振幅値として用いてプリコーディング行列を生成してよい。または、第２デバイス１０２は、ランク値または伝送アンテナポートの数のような情報に基づいて振幅値を決定した後、決定した振幅値をプリコーディング行列内の各要素の振幅値として用いてプリコーディング行列を生成してよい。第１チャネル情報が入手可能であり、第１チャネル情報が比較的高い精度でフィードバックされ得ることから、第２デバイス１０２により取得される第１チャネル情報の精度は確保され得る。その結果、比較的正確なプリコーディング行列が取得され、当該比較的正確なプリコーディング行列に基づいてデータが送信され、比較的良好なリンク適応効果を取得でき、システム性能が高まる。
【０１４０】
言うまでもなく、第１デバイス１０１が第２チャネル情報を生成し、第２デバイス１０２にフィードバックする場合は、第２デバイス１０２により取得されるチャネル情報がより正確であり、復元されるプリコーディング行列がより正確であり、より良好なリンク適応効果が取得され得る。
【０１４１】
以下では、例を用いることにより、図３に示されている手順でチャネル行列Ｈに基づいてプリコーディング行列を取得する方式について説明する。本明細書では、例えば、プリコーディング行列を取得すべく、チャネル行列ＨのＳＶＤ分解が実行される。プリコーディング行列がチャネル行列Ｈに基づいて取得され得る限り、使用可能な分解方式は、ＳＶＤ分解方式に限定されない。代替的に、行列Ｈは、行列がチャネル特性を表し得る限り、チャネル行列の共分散行列であってよい。
【０１４２】
第１デバイス１０１は、チャネル行列Ｈの固有ベクトルを取得すべく、以下の式３に基づいてチャネル行列Ｈの固有値分解を実行し得る。
【数２９】
2019527969.tif 000032
【０１４３】
【数３０】
2019527969.tif 000033
は対角行列であり、Ｖはチャネル行列Ｈの固有ベクトルを含む行列である。チャネル行列Ｈのランク（Ｒａｎｋ）およびＳＮＲが
【数３１】
2019527969.tif 000034
に基づいて取得されてよく、チャネルのプリコーディング行列ＷがＶに基づいて取得されてよい。ここで、行列Ｗの列の数は、チャネル行列Ｈのランクに等しくてよい。
【０１４４】
図６は、本願のある実施形態に係る、第２チャネル情報を報告する解決手段の手順を示している。図６に示されている通り、当該手順は以下の段階を含む。
【０１４５】
Ｓ６０１：第２デバイス１０２が第１デバイス１０１に基準信号を送信する。ここで、基準信号は、第２デバイス１０２から第１デバイス１０１へのチャネルに対するチャネル推定を実行するために使用される。
【０１４６】
段階Ｓ６０１については、段階Ｓ３０１を参照されたい。
【０１４７】
Ｓ６０２：第１デバイス１０１は、基準信号に基づいてチャネル推定を実行して、プリコーディング行列（本明細書ではＷと表示）を取得する。
【０１４８】
段階Ｓ３０２およびＳ３０３を参照されたい。すなわち、第２デバイス１０２は、基準信号に基づいてチャネル推定を実行してチャネル行列Ｈを取得した後、チャネル行列Ｈを分解してプリコーディング行列を取得する。
【０１４９】
代替的に、第１デバイス１０１は、基準信号に基づいてチャネル推定を実行するときに、現在のＬＴＥシステムにおける方法を用いてプリコーディング行列を取得してよい。
【０１５０】
プリコーディング行列Ｗは、Ｎｔ行Ｒ列の行列であり、
【数３２】
2019527969.tif 000035
であり、
【数３３】
2019527969.tif 000036
は、Ｎｔ／２行Ｍ列の行列であり、
【数３４】
2019527969.tif 000037
であり、
【数３５】
2019527969.tif 000038
は、次元数がＮｔ／２である列ベクトルであり、０≦ｉ≦Ｍ−１であり、Ｎｔは、第２デバイスにより基準信号を送信するためのアンテナポートの数であり、
【数３６】
2019527969.tif 000039
は、２Ｍ行Ｒ列の行列であり、
【数３７】
2019527969.tif 000040
であり、ここで、
【数３８】
2019527969.tif 000041
は、次元数がＭである単位ベクトルであり
【数３９】
2019527969.tif 000042
番目の要素の値のみが１であり、他の要素の値は全て０であり、０≦ｍ≦Ｒ−１であり、
【数４０】
2019527969.tif 000043
は、絶対値が１である複素数であり、０≦ｎ≦Ｒ−１であり、Ｍ、ＲおよびＮｔは全て正の整数であり、Ｎｔは偶数である。
【数４１】
2019527969.tif 000044
は、チャネル行列の固有ベクトルであってもよいし、ＤＦＴベクトルであってもよい。
【０１５１】
Ｓ６０３：第１デバイス１０１は、プリコーディング行列Ｗを説明するために使用される第３チャネル情報、第４チャネル情報および第５チャネル情報を生成する。
【０１５２】
第３チャネル情報は、
【数４２】
2019527969.tif 000045
を示すために使用される。
【０１５３】
第４チャネル情報は、
【数４３】
2019527969.tif 000046
を示すために使用される。
【０１５４】
第５チャネル情報は、
【数４４】
2019527969.tif 000047
を示すために使用される。
【０１５５】
第３チャネル情報の精度は、第５チャネル情報の精度よりも低い。
【０１５６】
Ｓ６０４：第１デバイス１０１は、生成した第３チャネル情報、第４チャネル情報および第５チャネル情報を第２デバイス１０２に送信する。
【０１５７】
第１デバイス１０１は、第３チャネル情報、第４チャネル情報および第５チャネル情報のうちの１つまたは複数をＺＣシーケンスに直接追加し、符号化プロセスも変調プロセスも経ることなく、第２デバイス１０２に情報を送信する。例えば、第１デバイス１０１は、第３チャネル情報、第４チャネル情報および第５チャネル情報内の量子化されていない情報をＺＣシーケンスに直接追加してよく、第２デバイス１０２に当該情報を送信する。ＺＣシーケンスの自己相関特性および相互相関特性が比較的良好であることから、第２デバイス１０２がＺＣシーケンスからチャネル情報を取得するときに、比較的良好な信号復調性能を取得することができ、チャネル情報の取得正確度を高めることができる。
【０１５８】
ＺＣシーケンスは単なる例に過ぎない。代替的に、第３チャネル情報、第４チャネル情報および第５チャネル情報は、第２デバイス１０２がチャネル情報を取得できる限り、別のシーケンスに保持されて送信され得る。
【０１５９】
ＺＣシーケンスまたは別のシーケンスに保持される方式は、実際のところ物理層送信方式である。実際は、チャネル情報が媒体アクセス制御（Ｍｅｄｉｕｍ  Ａｃｃｅｓｓ  Ｃｏｎｔｒｏｌ、ＭＡＣ）シグナリング、または、より上位層のシグナリング、例えば、（Ｒａｄｉｏ  Ｒｅｓｏｕｒｃｅ  Ｃｏｎｔｒｏｌ、ＲＲＣ）シグナリングを用いて伝送されてもよい。
【０１６０】
Ｓ６０５：第２デバイス１０２は、受信した第３チャネル情報、第４チャネル情報および第５チャネル情報に基づいてプリコーディング行列を生成し、生成したプリコーディング行列に基づいて、第１デバイス１０１にデータを送信するために使用される送信方式を決定する。生成したプリコーディング行列に基づいて、第２デバイス１０２によりデータ送信方式を決定するための方法については、量子化されたプリコーディング行列に基づいて、基地局によりデータ送信方式を決定する先行技術の方法を参照されたい。
【０１６１】
Ｓ６０６：第２デバイス１０２は、決定した送信方式で第１デバイス１０１にデータを送信する。
【０１６２】
第３チャネル情報、第４チャネル情報および第５チャネル情報は、第２デバイス１０２によりプリコーディング行列を決定するために使用され、プリコーディング行列は、第２デバイス１０２により送信された基準信号に基づいて第１デバイス１０１により実行されるチャネル推定から取得される。
【０１６３】
オプションとして、
【数４５】
2019527969.tif 000048
内の列ベクトルは、離散フーリエ変換（Ｄｉｓｃｒｅｔｅ  Ｆｏｕｒｉｅｒ  Ｔｒａｎｓｆｏｒｍ、ＤＦＴ）ベクトルであってもよいし、チャネル行列分解から取得される、量子化されていないまたは量子化された列ベクトルであってもよい。
【０１６４】
例えば、以下の式４を参照すると、プリコーディング行列Ｗは、２つのコードブック、Ｗ１およびＷ２を含む。
【数４６】
2019527969.tif 000049
ここで、
【数４７】
2019527969.tif 000050
である。
【０１６５】
【数４８】
2019527969.tif 000051
は、Ｘに含まれるＭ個のベクトルの例である。オプションとして、
【数４９】
2019527969.tif 000052
は、チャネル行列ＨのＳＶＤ分解が実行された後に取得される列ベクトルである。これらのベクトルは長期間にわたる統計から取得され、量子化されていない。
【０１６６】
ベクトルｂｉは、長さが第２デバイス１０２（例えば、基地局）の伝送アンテナポートの数である、列ベクトルである。Ｍの値は、予め設定された値、または、第２デバイス１０２により予め構成された値であってよい。
【０１６７】
例えば、第１デバイス１０１がチャネル情報をフィードバックする周期が２０ｍｓであり、チャネル測定周期が５ｍｓであり、チャネル行列Ｈが４×４行列である場合は、２０ｍｓで合計１６個の列ベクトルに関する統計が収集される。Ｍの値は、４に予め設定されてもよいし、第２デバイス１０２により、ある値、例えば、２、４または８に予め構成されてもよい。
【０１６８】
チャネル行列ランクが１に等しいとき、
【数５０】
2019527969.tif 000053
である。
【０１６９】
チャネル行列ランクが２に等しいとき、
【数５１】
2019527969.tif 000054
であり、ここで、Ｗ１はＭ個の列ベクトルの集合を示し、Ｗ２はビームの特定の方向を示し、Ｗ２は列選択情報
【数５２】
2019527969.tif 000055
および、同相（ｃｏ−ｐｈａｓｉｎｇ）情報
【数５３】
2019527969.tif 000056
を含む。
【０１７０】
同相情報
【数５４】
2019527969.tif 000057
は、第２デバイス１０２の伝送アンテナの２つの偏波方向間の位相ずれであり、０から２πの範囲にある任意の値であってよい。第１デバイス１０１が第２デバイス１０２に情報を送信するとき、当該情報の量子化は実行されないかもしれず、当該情報は、アナログパラメータを用いてフィードバックされ得る。同相情報は第５チャネル情報の例である。
【０１７１】
式５および式６を用いて、チャネル行列のランクが別の値である状況が推定され得る。ランクがｍ（ｍは正の整数）に等しい場合、Ｗ２はｍ個の列ベクトルを含む。
【０１７２】
段階Ｓ６０３では、第３チャネル情報を生成するときに、第１デバイス１０１が全システム周波数帯域に対して第３チャネル情報を取得し得る。詳細については図７を参照されたい。例えば、先述の通り、全システム周波数帯域は、サブバンド１からサブバンド１０までの１０個のサブバンドに分割され、第１デバイス１０１は、全システム周波数帯域に対して第３チャネル情報を生成する。
【０１７３】
第４チャネル情報を生成するとき、第１デバイス１０１は、第４チャネル情報を全システム周波数帯域のサブバンドごとに生成し得る。
【０１７４】
第５チャネル情報を生成するとき、第１デバイス１０１は、第５チャネル情報を全システム周波数帯域のサブバンドごとに生成し得る。
【０１７５】
オプションとして、第３チャネル情報、第４チャネル情報および第５チャネル情報は全て、周期的にフィードバックされてよく、第５チャネル情報のフィードバック周期は、第３チャネル情報のフィードバック周期よりも短い。
【０１７６】
大規模なシミュレーションおよび実験から、行列Ｗにおいて、Ｗ２はチャネル行列を復元するために比較的重要であり、Ｗ１はＷ２ほど重要ではないことが分かる。従って、第１デバイス１０１がチャネル情報をフィードバックするとき、第５チャネル情報の精度は、第３チャネル情報の精度よりも高い。例えば、第５チャネル情報の精度が第３チャネル情報の精度よりも高くなるように実装すべく、例えば、量子化、フィードバック周期、および、フィードバックがサブバンドに対するものなのか全システム帯域幅に対するものなのか、といった様々な方式が使用され得る。これによって、チャネル情報のフィードバック精度を確保できるだけでなく、チャネル情報を表すフィードバック量を効果的に低減させることもできる。
【０１７７】
以下では、様々なチャネル情報を生成および送信する方式について詳しく説明する。
【０１７８】
１．第３チャネル情報を生成およびフィードバックする方式
【０１７９】
（１）量子化方式
方式１：第３チャネル情報の量子化を省略し、アナログパラメータを直接フィードバックする。
方式２：第３チャネル情報の量子化のための量子化ビットの数は、第５チャネル情報の量子化のための量子化ビットの数よりも少ない。
（２）生成方式
先述の通り、第３チャネル情報を生成するとき、第１デバイス１０１は、全システム周波数帯域に対して第３チャネル情報を生成し得る。
（３）フィードバック周期
第１デバイス１０１は、比較的長い周期で第３チャネル情報を送信し、比較的短い周期で第５チャネル情報を送信し得る。第３チャネル情報のフィードバック周期を適切に設定することにより、第３チャネル情報の量が効果的に低減し得る。
【０１８０】
ＬＴＥシステムを更に例として用いると、第１デバイス１０１がＵＥであり、第２デバイス１０２が基地局である場合、現在のＬＴＥシステムにおいて、ＵＥが第３チャネル情報を基地局に送信する周期は、ＰＭＩフィードバック周期以上であってよい。例えば、現在のＦＤＤ  ＬＴＥシステムにおけるＰＭＩフィードバック周期は５ｍｓであり、本願のこの実施形態において第１デバイス１０１が第３チャネル情報をフィードバックする周期は５ｍｓまたは１０ｍｓなどであってよい。
【０１８１】
式４に示されているダブルコードブック構造が例として使用される。図８を参照すると、第１デバイス１０１は、Ｗ１内の有効な情報ａｉをＺＣシーケンスに変調し、当該ＺＣシーケンスを第２デバイス１０２に送信し得る。斜線部分に対応する信号が基準信号である。この図において、ＩＦＦＴは、逆高速フーリエ変換（Ｉｎｖｅｒｓｅ  Ｆａｓｔ  Ｆｏｕｒｉｅｒ  Ｔｒａｎｓｆｏｒｍ）を表す。
【０１８２】
要約すると、第３チャネル情報を生成およびフィードバックするときに、第１デバイス１０１は、全システム周波数帯域に対して第３チャネル情報を生成し、低精度の量子化デジタル方式で第３チャネル情報をフィードバックし、比較的長いフィードバック周期で第３チャネル情報をフィードバックし得る。これによって、第３チャネル情報の量を効果的に低減させることができる。
【０１８３】
２．第４チャネル情報を生成およびフィードバックする方式
（１）量子化方式
第４チャネル情報は、デジタル方式でフィードバックされる。
（２）生成方式
先述の通り、第４チャネル情報を生成するとき、第１デバイス１０１は、第４チャネル情報をシステム周波数帯域のサブバンドごとに生成し得る。詳細については図９を参照されたい。
【０１８４】
（３）フィードバック周期
【０１８５】
第１デバイス１０１は、比較的短い周期で第４チャネル情報を送信し得る。第４チャネル情報のフィードバック周期を適切に設定することにより、第２デバイス１０２は、比較的集約した第４チャネル情報を取得し、比較的正確なプリコーディング行列を生成することができる。
【０１８６】
ＬＴＥシステムを更に例として用いると、第１デバイス１０１がＵＥであり、第１デバイス１０２が基地局である場合、現在のＬＴＥシステムにおいて、ＵＥが第４チャネル情報を基地局に送信する周期は、ＰＭＩフィードバック周期以下であってよい。例えば、現在のＦＤＤ  ＬＴＥシステムにおけるＰＭＩフィードバック周期は５ｍｓであり、本願のこの実施形態において第１デバイス１０１が第４チャネル情報をフィードバックする周期は２ｍｓなどであってよい。
【０１８７】
要約すると、第４チャネル情報を生成およびフィードバックするときに、第１デバイス１０１は、システム周波数帯域のサブバンドごとに第４チャネル情報を生成し、デジタル方式で第４チャネル情報をフィードバックし、比較的短いフィードバック周期で第４チャネル情報をフィードバックし得る。これによって、第４チャネル情報のフィードバック精度を効果的に高めることができ、その結果、第２デバイス１０２は、比較的正確なプリコーディング行列を生成することができる。
【０１８８】
２．第５チャネル情報を生成およびフィードバックする方式
【０１８９】
（１）量子化方式
【０１９０】
第５チャネル情報には、以下の量子化方式のうちの１つが使用され得る。
方式１：第５チャネル情報の量子化を省略し、アナログパラメータを直接フィードバックする。
方式２：第５チャネル情報に高精度の量子化方式を使用する。
第５チャネル情報の量子化ビットの数を設定することにより、第５チャネル情報の量子化精度が効果的に制御され得る。その結果、第２デバイス１０２により取得される第５チャネル情報の精度を確保でき、比較的正確なプリコーディング行列が取得され、当該比較的正確なプリコーディング行列に基づいてデータが送信され、比較的良好なリンク適応効果を取得でき、システム性能が高まる。
（２）生成方式
先述の通り、第５チャネル情報を生成するとき、第１デバイス１０１は、システム周波数帯域のサブバンドごとに第５チャネル情報を生成し得る。詳細については図１０を参照されたい。
（３）フィードバック周期
第１デバイス１０１は、比較的短い周期で第５チャネル情報を送信し得る。第５チャネル情報のフィードバック周期を適切に設定することにより、第２デバイス１０２は、比較的集約した第５チャネル情報を取得し、比較的正確なプリコーディング行列を生成することができる。
【０１９１】
ＬＴＥシステムを更に例として用いると、第１デバイス１０１がＵＥであり、第２デバイス１０２が基地局である場合、現在のＬＴＥシステムにおいて、ＵＥが第５チャネル情報を基地局に送信する周期は、ＰＭＩフィードバック周期以下であってよい。例えば、現在のＦＤＤ  ＬＴＥシステムにおけるＰＭＩフィードバック周期は５ｍｓであり、本願のこの実施形態において第１デバイス１０１が第５チャネル情報をフィードバックする周期は２ｍｓなどであってよい。
【０１９２】
要約すると、第５チャネル情報を生成およびフィードバックするときに、第１デバイス１０１は、システム周波数帯域のサブバンドごとに第５チャネル情報を生成し、非量子化アナログ方式または高精度の量子化デジタル方式で第５チャネル情報をフィードバックし、比較的短いフィードバック周期で第５チャネル情報をフィードバックし得る。これによって、第５チャネル情報のフィードバック精度を効果的に高めることができ、その結果、第２デバイス１０２は、比較的正確なプリコーディング行列を生成することができる。
【０１９３】
加えて、第１デバイス１０１が第３チャネル情報を送信する周期は、第１デバイス１０１が第４チャネル情報を送信する周期以上であり、第１デバイス１０１が第５チャネル情報を送信する周期以上である。
【０１９４】
第３チャネル情報および第５チャネル情報がどちらも量子化後にフィードバックされる場合、第３チャネル情報の量子化のための量子化ビットの数は、第５チャネル情報の量子化のための量子化ビットの数以下である。
【０１９５】
図１１は、本願のある実施形態に係る第１の第１デバイスの概略構造図である。図１１に示されている通り、第１デバイスは、受信モジュール１１０１、処理モジュール１１０２および送信モジュール１１０３を含む。
【０１９６】
第１の任意的な実装によると、
受信モジュール１１０１は、第２デバイスから基準信号を受信するよう構成され、
処理モジュール１１０２は、受信モジュール１１０１により受信された基準信号に基づいてプリコーディング行列を取得し、当該プリコーディング行列を示すために使用される第１チャネル情報および第２チャネル情報を生成するよう構成され、
送信モジュール１１０３は、第２デバイスに当該第１チャネル情報および当該第２チャネル情報を送信するよう構成される。ここで、
第１チャネル情報の精度は、第２チャネル情報の精度よりも高く、
第１チャネル情報は、プリコーディング行列内の各要素の位相情報を含み、第２チャネル情報は、プリコーディング行列内の各要素の振幅情報を含む。
【０１９７】
当該装置の別の任意的な実装については、第１デバイス１０１が第１チャネル情報および第２チャネル情報を生成およびフィードバックする、前述の実装を参照されたい。受信モジュール１１０１は、第１デバイス１０１の受信操作、例えば、基準信号、データおよび制御情報の受信を実装するよう構成され得る。処理モジュール１１０２は、第１デバイス１０１の処理操作、例えば、基準信号に基づくチャネル推定の実行、および、チャネル情報の生成を実装するよう構成され得る。送信モジュール１１０３は、第１デバイス１０１の送信操作、例えば、チャネル情報、データおよび制御情報の送信を実装するよう構成され得る。
【０１９８】
第２の任意的な実装によると、
受信モジュール１１０１は、第２デバイスから基準信号を受信するよう構成され、
処理モジュール１１０２は、受信モジュール１１０１により受信された基準信号に基づいてプリコーディング行列Ｗを取得するよう構成される。ここで、Ｗは、Ｎｔ行Ｒ列の行列であり、
【数５５】
2019527969.tif 000058
であり、
【数５６】
2019527969.tif 000059
は、Ｎｔ／２行Ｍ列の行列であり、
【数５７】
2019527969.tif 000060
であり、
【数５８】
2019527969.tif 000061
は、次元数がＮｔ／２である列ベクトルであり、０≦ｉ≦Ｍ−１であり、Ｎｔは、第２デバイスにより基準信号を送信するためのアンテナポートの数であり、
【数５９】
2019527969.tif 000062
は、２Ｍ行Ｒ列の行列であり、
【数６０】
2019527969.tif 000063
であり、ここで、
【数６１】
2019527969.tif 000064
は、次元数がＭである単位ベクトルであり、
【数６２】
2019527969.tif 000065
番目の要素の値のみが１であり、他の要素の値は全て０であり、０≦ｍ≦Ｒ−１であり、
【数６３】
2019527969.tif 000066
は、絶対値が１である複素数であり、０≦ｎ≦Ｒ−１であり、Ｍ、ＲおよびＮｔは全て正の整数であり、Ｎｔは偶数であり、
処理モジュール１１０２は更に、第３チャネル情報、第４チャネル情報および第５チャネル情報を生成するよう構成される。
ここで、第３チャネル情報は、
【数６４】
2019527969.tif 000067
を示すために使用され、
第４チャネル情報は、
【数６５】
2019527969.tif 000068
を示すために使用され、
第５チャネル情報は、
【数６６】
2019527969.tif 000069
を示すために使用され、
第３チャネル情報の精度は、第５チャネル情報の精度よりも低く、
送信モジュール１１０３は、第２デバイスに第３チャネル情報、第４チャネル情報および第５チャネル情報を送信するよう構成される。
【０１９９】
当該装置の別の任意的な実装については、第１デバイス１０１が第３チャネル情報、第４チャネル情報および第５チャネル情報を生成およびフィードバックする、前述の実装を参照されたい。受信モジュール１１０１は、第１デバイス１０１の受信操作、例えば、基準信号、データおよび制御情報の受信を実装するよう構成され得る。処理モジュール１１０２は、第１デバイス１０１の処理操作、例えば、基準信号に基づくチャネル推定の実行、および、チャネル情報の生成を実装するよう構成され得る。送信モジュール１１０３は、第１デバイス１０１の送信操作、例えば、チャネル情報、データおよび制御情報の送信を実装するよう構成され得る。
【０２００】
図１２は、本願のある実施形態に係る第２の第１デバイスの概略構造図である。図１２に示されている通り、第１デバイスは、受信機１２０１、プロセッサ１２０２およびトランスミッタ１２０３を含む。
【０２０１】
第１の任意的な実装によると、
受信機１２０１は、第２デバイスから基準信号を受信するよう構成され、
プロセッサ１２０２は、受信機１２０１により受信された基準信号に基づいてプリコーディング行列を取得し、当該プリコーディング行列を示すために使用される第１チャネル情報および第２チャネル情報を生成するよう構成され、
トランスミッタ１２０３は、第２デバイスに当該第１チャネル情報および当該第２チャネル情報を送信するよう構成される。ここで、
第１チャネル情報の精度は、第２チャネル情報の精度よりも高く、
第１チャネル情報は、プリコーディング行列内の各要素の位相情報を含み、第２チャネル情報は、プリコーディング行列内の各要素の振幅情報を含む。
【０２０２】
当該装置の別の任意的な実装については、第１デバイス１０１が第１チャネル情報および第２チャネル情報を生成およびフィードバックする、前述の実装を参照されたい。受信機１２０１は、第１デバイス１０１の受信操作、例えば、基準信号、データおよび制御情報の受信を実装するよう構成され得る。プロセッサ１２０２は、第１デバイス１０１の処理操作、例えば、基準信号に基づくチャネル推定の実行、および、チャネル情報の生成を実装するよう構成され得る。トランスミッタ１２０３は、第１デバイス１０１の送信操作、例えば、チャネル情報、データおよび制御情報の送信を実装するよう構成され得る。
【０２０３】
第２の任意的な実装によると、
受信機１２０１は、第２デバイスから基準信号を受信するよう構成され、
プロセッサ１２０２は、受信機１２０１により受信された基準信号に基づいてプリコーディング行列Ｗを取得するよう構成される。ここで、Ｗは、Ｎｔ行Ｒ列の行列であり、
【数６７】
2019527969.tif 000070
であり、
【数６８】
2019527969.tif 000071
は、Ｎｔ／２行Ｍ列の行列であり、
【数６９】
2019527969.tif 000072
であり、
【数７０】
2019527969.tif 000073
は、次元数がＮｔ／２である列ベクトルであり、０≦ｉ≦Ｍ−１であり、Ｎｔは、第２デバイスにより基準信号を送信するためのアンテナポートの数であり、
【数７１】
2019527969.tif 000074
は、２Ｍ行Ｒ列の行列であり、
【数７２】
2019527969.tif 000075
であり、ここで、
【数７３】
2019527969.tif 000076
は、次元数がＭである単位ベクトルであり、
【数７４】
2019527969.tif 000077
番目の要素の値のみが１であり、他の要素の値は全て０であり、０≦ｍ≦Ｒ−１であり、
【数７５】
2019527969.tif 000078
は、絶対値が１である複素数であり、０≦ｎ≦Ｒ−１であり、Ｍ、ＲおよびＮｔは全て正の整数であり、Ｎｔは偶数であり、
プロセッサ１２０２は更に、第３チャネル情報、第４チャネル情報および第５チャネル情報を生成するよう構成される。
ここで、第３チャネル情報は、
【数７６】
2019527969.tif 000079
を示すために使用され、
第４チャネル情報は、
【数７７】
2019527969.tif 000080
を示すために使用され、
第５チャネル情報は、
【数７８】
2019527969.tif 000081
を示すために使用され、
第３チャネル情報の精度は、第５チャネル情報の精度よりも低く、
トランスミッタ１２０３は、第２デバイスに第３チャネル情報、第４チャネル情報および第５チャネル情報を送信するよう構成される。
【０２０４】
当該装置の別の任意的な実装については、第１デバイス１０１が第３チャネル情報、第４チャネル情報および第５チャネル情報を生成およびフィードバックする、前述の実装を参照されたい。受信機１２０１は、第１デバイス１０１の受信操作、例えば、基準信号、データおよび制御情報の受信を実装するよう構成され得る。プロセッサ１２０２は、第１デバイス１０１の処理操作、例えば、基準信号に基づくチャネル推定の実行、および、チャネル情報の生成を実装するよう構成され得る。トランスミッタ１２０３は、第１デバイス１０１の送信操作、例えば、チャネル情報、データおよび制御情報の送信を実装するよう構成され得る。
【０２０５】
図１３は、本願のある実施形態に係る第１の第２デバイスの概略構造図である。図１３に示されている通り、第２デバイスは、受信モジュール１３０１、処理モジュール１３０２および送信モジュール１３０３を含む。
【０２０６】
第１の任意的な実装によると、
送信モジュール１３０３は、第１デバイスに基準信号を送信するよう構成され、
受信モジュール１３０１は、第１デバイスから第１チャネル情報および第２チャネル情報を受信するよう構成され、ここで、第１チャネル情報および第２チャネル情報はプリコーディング行列を示すために使用され、当該プリコーディング行列は、第１デバイスにより、受信した基準信号に基づいて取得され、ここで、
第１チャネル情報の精度は、第２チャネル情報の精度よりも高く、
第１チャネル情報は、プリコーディング行列内の各要素の位相情報を含み、第２チャネル情報は、プリコーディング行列内の各要素の振幅情報を含み、
処理モジュール１３０２は、第１チャネル情報および第２チャネル情報に基づいてプリコーディング行列を決定するよう構成され、
送信モジュール１３０３は更に、処理モジュール１３０２により決定されたプリコーディング行列に基づいて第１デバイスにデータを送信するよう構成される。
【０２０７】
当該装置の別の任意的な実装については、第２デバイス１０２が第１チャネル情報および第２チャネル情報を受信する、前述の実装を参照されたい。受信モジュール１３０１は、第２デバイス１０２の受信操作、例えば、チャネル情報、データおよび他の制御情報の受信を実装するよう構成され得る。処理モジュール１３０２は、第２デバイス１０２の処理操作、例えば、チャネル情報に基づくプリコーディング行列の生成、および、生成したプリコーディング行列に基づくデータ送信方式の決定を実装するよう構成され得る。送信モジュール１３０３は、第２デバイス１０２の送信操作、例えば、基準信号、データおよび制御情報の送信を実装するよう構成され得る。
【０２０８】
第２の任意的な実装によると、
送信モジュール１３０３は、第１デバイスに基準信号を送信するよう構成され、
受信モジュール１３０１は、第１デバイスから第３チャネル情報、第４チャネル情報および第５チャネル情報を受信するよう構成され、ここで、第３チャネル情報の精度は、第５チャネル情報の精度よりも低く、
処理モジュール１３０２は、第３チャネル情報、第４チャネル情報および第４チャネル情報に基づいてプリコーディング行列Ｗを決定するよう構成され、
送信モジュール１３０３は、処理モジュール１３０２により決定されたプリコーディング行列Ｗに基づいて第１デバイスにデータを送信するよう構成され、ここで、
プリコーディング行列Ｗは、第１デバイスにより、受信した基準信号に基づいて取得され、Ｗは、Ｎｔ行Ｒ列の行列であり、
【数７９】
2019527969.tif 000082
であり、
【数８０】
2019527969.tif 000083
は、Ｎｔ／２行Ｍ列の行列であり、
【数８１】
2019527969.tif 000084
であり、
【数８２】
2019527969.tif 000085
は、次元数がＮｔ／２である列ベクトルであり、０≦ｉ≦Ｍ−１であり、Ｎｔは、第２デバイスにより基準信号を送信するためのアンテナポートの数であり、
【数８３】
2019527969.tif 000086
は、２Ｍ行Ｒ列の行列であり、
【数８４】
2019527969.tif 000087
であり、ここで、
【数８５】
2019527969.tif 000088
は、次元数がＭである単位ベクトルであり、
【数８６】
2019527969.tif 000089
番目の要素の値のみが１であり、他の要素の値は全て０であり、０≦ｍ≦Ｒ−１であり、
【数８７】
2019527969.tif 000090
は、絶対値が１である複素数であり、０≦ｎ≦Ｒ−１であり、Ｍ、ＲおよびＮｔは全て正の整数であり、Ｎｔは偶数であり、
第３チャネル情報は、
【数８８】
2019527969.tif 000091
を示すために使用され、
第４チャネル情報は、
【数８９】
2019527969.tif 000092
を示すために使用され、
第５チャネル情報は、
【数９０】
2019527969.tif 000093
を示すために使用される。
【０２０９】
当該装置の別の任意的な実装については、第２デバイス１０２が第３チャネル情報、第４チャネル情報および第５チャネル情報を受信する、前述の実装を参照されたい。受信モジュール１３０１は、第２デバイス１０２の受信操作、例えば、チャネル情報、データおよび他の制御情報の受信を実装するよう構成され得る。処理モジュール１３０２は、第２デバイス１０２の処理操作、例えば、チャネル情報に基づくプリコーディング行列の生成、および、生成したプリコーディング行列に基づくデータ送信方式の決定を実装するよう構成され得る。送信モジュール１３０３は、第２デバイス１０２の送信操作、例えば、基準信号、データおよび制御情報の送信を実装するよう構成され得る。
【０２１０】
図１４は、本願のある実施形態に係る第２の第２デバイスの概略構造図である。図１４に示されている通り、第２デバイスは、受信機１４０１、プロセッサ１４０２およびトランスミッタ１４０３を含む。
【０２１１】
第１の任意的な実装によると、
トランスミッタ１４０３は、第１デバイスに基準信号を送信するよう構成され、
受信機１４０１は、第１デバイスから第１チャネル情報および第２チャネル情報を受信するよう構成され、ここで、第１チャネル情報および第２チャネル情報はプリコーディング行列を示すために使用され、当該プリコーディング行列は、第１デバイスにより、受信した基準信号に基づいて取得され、ここで、
第１チャネル情報の精度は、第２チャネル情報の精度よりも高く、
第１チャネル情報は、プリコーディング行列内の各要素の位相情報を含み、第２チャネル情報は、プリコーディング行列内の各要素の振幅情報を含み、
プロセッサ１４０２は、第１チャネル情報および第２チャネル情報に基づいてプリコーディング行列を決定するよう構成され、
トランスミッタ１４０３は更に、プロセッサ１４０２により決定されたプリコーディング行列に基づいて第１デバイスにデータを送信するよう構成される。
【０２１２】
当該装置の別の任意的な実装については、第２デバイス１０２が第１チャネル情報および第２チャネル情報を受信する、前述の実装を参照されたい。受信機１４０１は、第２デバイス１０２の受信操作、例えば、チャネル情報、データおよび他の制御情報の受信を実装するよう構成され得る。プロセッサ１４０２は、第２デバイス１０２の処理操作、例えば、チャネル情報に基づくプリコーディング行列の生成、および、生成したプリコーディング行列に基づくデータ送信方式の決定を実装するよう構成され得る。トランスミッタ１４０３は、第２デバイス１０２の送信操作、例えば、基準信号、データおよび制御情報の送信を実装するよう構成され得る。
【０２１３】
第２の任意的な実装によると、
トランスミッタ１４０３は、第１デバイスに基準信号を送信するよう構成され、
受信機１４０１は、第１デバイスから第３チャネル情報、第４チャネル情報および第５チャネル情報を受信するよう構成され、ここで、第３チャネル情報の精度は、第５チャネル情報の精度よりも低く、
プロセッサ１４０２は、第３チャネル情報、第４チャネル情報および第５チャネル情報に基づいてプリコーディング行列Ｗを決定するよう構成され、
トランスミッタ１４０３は、プロセッサ１４０２により決定されたプリコーディング行列Ｗに基づいて第１デバイスにデータを送信するよう構成され、ここで、
プリコーディング行列Ｗは、第１デバイスにより、受信した基準信号に基づいて取得され、Ｗは、Ｎｔ行Ｒ列の行列であり、
【数９１】
2019527969.tif 000094
であり、
【数９２】
2019527969.tif 000095
は、Ｎｔ／２行Ｍ列の行列であり、
【数９３】
2019527969.tif 000096
であり、
【数９４】
2019527969.tif 000097
は、次元数がＮｔ／２である列ベクトルであり、０≦ｉ≦Ｍ−１であり、Ｎｔは、第２デバイスにより基準信号を送信するためのアンテナポートの数であり、
【数９５】
2019527969.tif 000098
は、２Ｍ行Ｒ列の行列であり、
【数９６】
2019527969.tif 000099
であり、ここで、
【数９７】
2019527969.tif 000100
は、次元数がＭである単位ベクトルであり、
【数９８】
2019527969.tif 000101
番目の要素の値のみが１であり、他の要素の値は全て０であり、０≦ｍ≦Ｒ−１であり、
【数９９】
2019527969.tif 000102
は、絶対値が１である複素数であり、０≦ｎ≦Ｒ−１であり、Ｍ、ＲおよびＮｔは全て正の整数であり、Ｎｔは偶数であり、
第３チャネル情報は、
【数１００】
2019527969.tif 000103
を示すために使用され、
第４チャネル情報は、
【数１０１】
2019527969.tif 000104
を示すために使用され、
第５チャネル情報は、
【数１０２】
2019527969.tif 000105
を示すために使用される。
【０２１４】
当該装置の別の任意的な実装については、第２デバイス１０２が第３チャネル情報、第４チャネル情報および第５チャネル情報を受信する、前述の実装を参照されたい。受信機１４０１は、第２デバイス１０２の受信操作、例えば、チャネル情報、データおよび他の制御情報の受信を実装するよう構成され得る。プロセッサ１４０２は、第２デバイス１０２の処理操作、例えば、チャネル情報に基づくプリコーディング行列の生成、および、生成したプリコーディング行列に基づくデータ送信方式の決定を実装するよう構成され得る。トランスミッタ１４０３は、第２デバイス１０２の送信操作、例えば、基準信号、データおよび制御情報の送信を実装するよう構成され得る。
【０２１５】
要約すると、本願の実施形態は、チャネル情報を伝送する装置および方法、ならびにシステムを提供する。Ｍチャネル情報において、チャネル行列を復元するために比較的重要であり、かつ、高精度を必要とする情報がフィードバックされる場合は、比較的高いフィードバック精度が使用される。チャネル行列を復元するためにそれほど重要ではなく、かつ、高精度を必要としない情報は、比較的低いフィードバック精度でフィードバックされる。  これによって、チャネル情報精度を確保しながら、システムオーバーヘッドを効果的に低減させ、システム性能を高める。
【０２１６】
当業者であれば、本願の実施形態が方法、システムまたはコンピュータプログラム製品として提供され得ることを理解するはずである。従って、本願は、ハードウェアのみの実施形態、ソフトウェアのみの実施形態、または、ソフトウェアとハードウェアとの組み合わせによる実施形態の形態を使用し得る。更に、本願は、コンピュータ使用可能プログラムコードを含む１つまたは複数のコンピュータ使用可能記憶媒体（限定されるわけではないが、ディスクメモリ、ＣＤ−ＲＯＭおよび光メモリなどを含む）で実装されるコンピュータプログラム製品の形態を使用し得る。
【０２１７】
本願は、本願の実施形態に係る方法、デバイス（システム）およびコンピュータプログラム製品のフローチャートおよび／またはブロック図を参照しながら説明されている。コンピュータプログラム命令は、フローチャートおよび／またはブロック図の各プロセスおよび／または各ブロック、ならびに、フローチャートおよび／またはブロック図のプロセスおよび／またはブロックの組み合わせを実装するために使用され得ることを理解すべきである。これらのコンピュータプログラム命令は、汎用コンピュータ、専用コンピュータ、組み込みプロセッサ、または、別のプログラマブルデータ処理デバイスのプロセッサのために提供されてマシンを生成し得る。その結果、コンピュータまたは別のプログラマブルデータ処理デバイスのプロセッサにより実行される命令は、フローチャートの１つまたは複数のプロセス、および／または、ブロック図の１つまたは複数のブロックにおいて指定された機能を実装するための装置を生成する。
【０２１８】
これらのコンピュータプログラム命令は、コンピュータまたは別のプログラマブルデータ処理デバイスに特定の方式で機能するよう命令できるコンピュータ可読メモリに記憶され得る。その結果、コンピュータ可読メモリに記憶される命令は、命令装置を含む人工物を生成する。命令装置は、フローチャートの１つまたは複数のプロセス、および／または、ブロック図の１つまたは複数のブロックにおいて指定された機能を実装する。
【０２１９】
これらのコンピュータプログラム命令は、コンピュータまたは別のプログラマブルデータ処理デバイスにロードされてもよい。その結果、一連の操作および段階がコンピュータまたは別のプログラマブルデバイスで実行されることで、コンピュータにより実装される処理を生成する。従って、コンピュータまたは別のプログラマブルデバイスで実行される命令は、フローチャートの１つまたは複数のプロセス、および／または、ブロック図の１つまたは複数のブロックにおいて指定された機能を実装するための段階を提供する。
【０２２０】
本願の幾つかの実施形態が説明されているが、ひとたび基本的な発明の概念を把握すれば、当業者はこれらの実施形態に対する変更および修正を加えることができる。従って、以下の請求項は、好ましい実施形態、ならびに、本願の範囲に含まれる全ての変更および修正を包含するものと解釈されることを目的としている。
【０２２１】
当業者であれば明らかに、本願の実施形態の趣旨および範囲から逸脱することなく、本願の実施形態に対する様々な修正および変更を加えることができる。本願は、以下の請求項および同等の技術により定義される保護の範囲に含まれる限り、これらの修正および変更を包含することを目的としている。
【図１】
2019527969.tif 000174
【図２】
2019527969.tif 000175
【図３】
2019527969.tif 000176
【図４】
2019527969.tif 000177
【図５】
2019527969.tif 000178
【図６】
2019527969.tif 000179
【図７】
2019527969.tif 000180
【図８】
2019527969.tif 000181
【図９】
2019527969.tif 000182
【図１０】
2019527969.tif 000183
【図１１】
2019527969.tif 000184
【図１２】
2019527969.tif 000185
【図１３】
2019527969.tif 000186
【図１４】
2019527969.tif 000187
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
第２デバイスから基準信号を受信するよう構成されている受信モジュールと、
前記受信モジュールにより受信された前記基準信号に基づいてプリコーディング行列を取得し、前記プリコーディング行列を示すために使用される第１チャネル情報および第２チャネル情報を生成するよう構成されている処理モジュールと、
前記第２デバイスに前記第１チャネル情報および前記第２チャネル情報を送信するよう構成されている送信モジュールと
を備える第１デバイスであって、前記第１チャネル情報の精度は、前記第２チャネル情報の精度よりも高く、
前記第１チャネル情報は、前記プリコーディング行列内の各要素の位相情報を含み、前記第２チャネル情報は、前記プリコーディング行列内の各要素の振幅情報を含む、第１デバイス。
【請求項２】
前記処理モジュールは、量子化されていない前記第１チャネル情報と量子化された前記第２チャネル情報とを生成するよう具体的に構成される、請求項１に記載の第１デバイス。
【請求項３】
前記処理モジュールは、量子化された前記第１チャネル情報と量子化された前記第２チャネル情報とを生成するよう具体的に構成され、前記第１チャネル情報の量子化ビットの数は、前記第２チャネル情報の量子化ビットの数よりも多い、請求項１に記載の第１デバイス。
【請求項４】
前記処理モジュールは、第１チャネルサブ情報のＫ個のグループを含む前記第１チャネル情報を生成するよう具体的に構成され、
Ｋは、正の整数であり、前記プリコーディング行列に含まれる列ベクトルの数であり、各列ベクトルが、第１チャネルサブ情報の１つのグループに対応しており、
前記第１チャネルサブ情報は、
基本的第１チャネルサブ情報であって、前記基本的第１チャネルサブ情報は、前記第１チャネルサブ情報に対応する列ベクトル内の基準要素の位相情報であり、前記基準要素の位相は、非ゼロである、基本的第１チャネルサブ情報と、
Ｌ−２個の相対的第１チャネルサブ情報であって、Ｌは、前記列ベクトルの長さであり、１つの相対的第１チャネルサブ情報が、位相が非ゼロである、前記列ベクトル内の前記基準要素以外の１つの要素に対応しており、対応する前記要素の位相と前記基準要素の前記位相との間のずれを示すために使用される、Ｌ−２個の相対的第１チャネルサブ情報と
を含み、前記基本的第１チャネルサブ情報は、量子化されていないチャネル情報であり、前記相対的第１チャネルサブ情報は、量子化されたチャネル情報である、請求項１に記載の第１デバイス。
【請求項５】
第１デバイスに基準信号を送信するよう構成されている送信モジュールと、
前記第１デバイスから第１チャネル情報および第２チャネル情報を受信するよう構成されている受信モジュールであって、前記第１チャネル情報および前記第２チャネル情報は、プリコーディング行列を示すために使用され、前記プリコーディング行列は、前記第１デバイスにより、受信した前記基準信号に基づいて取得され、
前記第１チャネル情報の精度は、前記第２チャネル情報の精度よりも高く、
前記第１チャネル情報は、前記プリコーディング行列内の各要素の位相情報を含み、前記第２チャネル情報は、前記プリコーディング行列内の各要素の振幅情報を含む、受信モジュールと、
前記第１チャネル情報および前記第２チャネル情報に基づいて前記プリコーディング行列を決定するよう構成されている処理モジュールと
を備える第２デバイスであって、
前記送信モジュールは更に、前記処理モジュールにより決定された前記プリコーディング行列に基づいて前記第１デバイスにデータを送信するよう構成される、第２デバイス。
【請求項６】
前記受信モジュールは、量子化されていない前記第１チャネル情報を受信し、量子化された前記第２チャネル情報を受信するよう具体的に構成される、請求項５に記載の第２デバイス。
【請求項７】
前記受信モジュールは、量子化された前記第１チャネル情報と量子化された前記第２チャネル情報とを受信するよう具体的に構成され、前記第１チャネル情報の量子化ビットの数は、前記第２チャネル情報の量子化ビットの数よりも多い、請求項５に記載の第２デバイス。
【請求項８】
前記受信モジュールは、第１チャネルサブ情報のＫ個のグループを含む前記第１チャネル情報を受信するよう具体的に構成され、Ｋは、正の整数であり、前記プリコーディング行列に含まれる列ベクトルの数であり、各列ベクトルが、第１チャネルサブ情報の１つのグループに対応しており、前記第１チャネルサブ情報は、
基本的第１チャネルサブ情報であって、前記基本的第１チャネルサブ情報は、前記第１チャネルサブ情報に対応する列ベクトル内の基準要素の位相情報であり、前記基準要素の位相は、非ゼロである、基本的第１チャネルサブ情報と、
Ｌ−２個の相対的第１チャネルサブ情報であって、Ｌは、前記列ベクトルの長さであり、１つの相対的第１チャネルサブ情報が、位相が非ゼロである、前記列ベクトル内の前記基準要素以外の１つの要素に対応しており、対応する前記要素の位相と前記基準要素の前記位相との間のずれを示すために使用される、Ｌ−２個の相対的第１チャネルサブ情報と
を含み、前記基本的第１チャネルサブ情報は、量子化されていないチャネル情報であり、前記相対的第１チャネルサブ情報は、量子化されたチャネル情報である、請求項５に記載の第２デバイス。
【請求項９】
第１デバイスにより、第２デバイスから基準信号を受信する段階と、
前記第１デバイスにより、受信した前記基準信号に基づいてプリコーディング行列を取得する段階と、
前記第１デバイスにより、前記プリコーディング行列を示すために使用される第１チャネル情報および第２チャネル情報を生成する段階と、
前記第１デバイスにより、前記第２デバイスに前記第１チャネル情報および前記第２チャネル情報を送信する段階と
を備える、チャネル情報を送信する方法であって、
前記第１チャネル情報の精度は、前記第２チャネル情報の精度よりも高く、
前記第１チャネル情報は、前記プリコーディング行列内の各要素の位相情報を含み、前記第２チャネル情報は、前記プリコーディング行列内の各要素の振幅情報を含む、チャネル情報を送信する方法。
【請求項１０】
前記第１チャネル情報の精度が前記第２チャネル情報の精度よりも高いことは、
前記第１チャネル情報が量子化されていないチャネル情報であり、前記第２チャネル情報が量子化されたチャネル情報であることを含む、請求項９に記載の方法。
【請求項１１】
前記第１チャネル情報の精度が前記第２チャネル情報の精度よりも高いことは、
前記第１チャネル情報および前記第２チャネル情報がどちらも量子化されたチャネル情報であり、前記第１チャネル情報の量子化ビットの数が前記第２チャネル情報の量子化ビットの数よりも多いことを含む、請求項９に記載の方法。
【請求項１２】
前記第１チャネル情報は、第１チャネルサブ情報のＫ個のグループを含み、Ｋは、正の整数であり、前記プリコーディング行列に含まれる列ベクトルの数であり、各列ベクトルが、第１チャネルサブ情報の１つのグループに対応しており、
前記第１チャネルサブ情報は、
基本的第１チャネルサブ情報であって、前記基本的第１チャネルサブ情報は、前記第１チャネルサブ情報に対応する列ベクトル内の基準要素の位相情報であり、前記基準要素の位相は、非ゼロである、基本的第１チャネルサブ情報と、
Ｌ−２個の相対的第１チャネルサブ情報であって、Ｌは、前記列ベクトルの長さであり、１つの相対的第１チャネルサブ情報が、位相が非ゼロである、前記列ベクトル内の前記基準要素以外の１つの要素に対応しており、対応する前記要素の位相と前記基準要素の前記位相との間のずれを示すために使用される、Ｌ−２個の相対的第１チャネルサブ情報と
を含み、前記基本的第１チャネルサブ情報は、量子化されていないチャネル情報であり、前記相対的第１チャネルサブ情報は、量子化されたチャネル情報である、請求項９に記載の方法。
【請求項１３】
第２デバイスにより、第１デバイスに基準信号を送信する段階と、
前記第２デバイスにより、前記第１デバイスから第１チャネル情報および第２チャネル情報を受信する段階であって、前記第１チャネル情報および前記第２チャネル情報は、プリコーディング行列を示すために使用され、前記プリコーディング行列は、前記第１デバイスにより、受信した前記基準信号に基づいて取得され、
前記第１チャネル情報の精度は、前記第２チャネル情報の精度よりも高く、
前記第１チャネル情報は、前記プリコーディング行列内の各要素の位相情報を含み、前記第２チャネル情報は、前記プリコーディング行列内の各要素の振幅情報を含む、受信する段階と、
前記第２デバイスにより、前記第１チャネル情報および前記第２チャネル情報に基づいて前記プリコーディング行列を決定する段階と、
前記第２デバイスにより、決定した前記プリコーディング行列に基づいて前記第１デバイスにデータを送信する段階と
を備える、データを送信する方法。
【請求項１４】
前記第１チャネル情報の精度が前記第２チャネル情報の精度よりも高いことは、
前記第１チャネル情報が量子化されていないチャネル情報であり、前記第２チャネル情報が量子化されたチャネル情報であることを含む、請求項１３に記載の方法。
【請求項１５】
前記第１チャネル情報の精度が前記第２チャネル情報の精度よりも高いことは、
前記第１チャネル情報および前記第２チャネル情報がどちらも量子化されたチャネル情報であり、前記第１チャネル情報の量子化ビットの数が前記第２チャネル情報の量子化ビットの数よりも多いことを含む、請求項１３に記載の方法。
【手続補正２】
【補正対象書類名】明細書
【補正対象項目名】００７９
【補正方法】変更
【補正の内容】
【００７９】
第１デバイス１０１と第２デバイス１０２との間の通信のための通信規格は、限定されるわけではないが、グローバルシステム・フォー・モバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））、符号分割多元接続（Ｃｏｄｅ  Ｄｉｖｉｓｉｏｎ  Ｍｕｌｔｉｐｌｅ  Ａｃｃｅｓｓ、ＣＤＭＡ）ＩＳ−９５、符号分割多元接続（Ｃｏｄｅ  Ｄｉｖｉｓｉｏｎ  Ｍｕｌｔｉｐｌｅ  Ａｃｃｅｓｓ、ＣＤＭＡ）２０００、時分割同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、時分割複信ロングタームエボリューション（Ｔｉｍｅ  Ｄｉｖｉｓｉｏｎ  Ｄｕｐｌｅｘ−Ｌｏｎｇ  Ｔｅｒｍ  Ｅｖｏｌｕｔｉｏｎ、ＴＤＤ  ＬＴＥ）、周波数分割複信ロングタームエボリューション（Ｆｒｅｑｕｅｎｃｙ  Ｄｉｖｉｓｉｏｎ  Ｄｕｐｌｅｘ−Ｌｏｎｇ  Ｔｅｒｍ  Ｅｖｏｌｕｔｉｏｎ、ＦＤＤ  ＬＴＥ）、ロングタームエボリューションアドバンスト（Ｌｏｎｇ  Ｔｅｒｍ  Ｅｖｏｌｕｔｉｏｎ−Ａｄｖａｎｃｅｄ、ＬＴＥ−ａｄｖａｎｃｅｄ）、パーソナルハンディフォンシステム（Ｐｅｒｓｏｎａｌ  Ｈａｎｄｙ−ｐｈｏｎｅ  Ｓｙｓｔｅｍ、ＰＨＳ）、８０２．１１シリーズのプロトコルで規定されているワイヤレスフィディリティ（Ｗｉｒｅｌｅｓｓ  Ｆｉｄｅｌｉｔｙ、Ｗｉ−Ｆｉ）、ワールドワイド・インターオペラビリティ・フォー・マイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）、および様々な未来進化型の無線通信システムを含む。
【手続補正３】
【補正対象書類名】明細書
【補正対象項目名】００８１
【補正方法】変更
【補正の内容】
【００８１】
ネットワークデバイスは、基地局、または、基地局を制御するよう構成されている無線リソース管理デバイスを含んでもよいし、基地局、および、基地局を制御するよう構成されている無線リソース管理デバイスを含んでもよい。基地局は、マクロセル、または、ピコセル（ｐｉｃｏ  ｃｅｌｌ）のようなスモールセル（ｓｍａｌｌ  ｃｅｌｌ）であってよい。代替的に、基地局は、ホームノードＢ（Ｈｏｍｅ  ＮｏｄｅＢ、ＨＮＢ）またはホーム進化型ノードＢ（Ｈｏｍｅ  ｅＮｏｄｅＢ、ＨｅＮＢ）のようなホーム基地局であってよい。代替的に、基地局は、中継ノード（ｒｅｌａｙ）などを含み得る。
【手続補正４】
【補正対象書類名】明細書
【補正対象項目名】００９８
【補正方法】変更
【補正の内容】
【００９８】
ＺＣシーケンスまたは別のシーケンスに保持される方式は、実際のところ物理層送信方式である。実際は、チャネル情報が媒体アクセス制御（Ｍｅｄｉｕｍ  Ａｃｃｅｓｓ  Ｃｏｎｔｒｏｌ、ＭＡＣ）シグナリング、または、より上位層のシグナリング、例えば、無線リソース制御（Ｒａｄｉｏ  Ｒｅｓｏｕｒｃｅ  Ｃｏｎｔｒｏｌ、ＲＲＣ）シグナリングを用いて伝送されてもよい。
【手続補正５】
【補正対象書類名】明細書
【補正対象項目名】０１５９
【補正方法】変更
【補正の内容】
【０１５９】
ＺＣシーケンスまたは別のシーケンスに保持される方式は、実際のところ物理層送信方式である。実際は、チャネル情報が媒体アクセス制御（Ｍｅｄｉｕｍ  Ａｃｃｅｓｓ  Ｃｏｎｔｒｏｌ、ＭＡＣ）シグナリング、または、より上位層のシグナリング、例えば、無線リソース制御（Ｒａｄｉｏ  Ｒｅｓｏｕｒｃｅ  Ｃｏｎｔｒｏｌ、ＲＲＣ）シグナリングを用いて伝送されてもよい。
【手続補正６】
【補正対象書類名】明細書
【補正対象項目名】０１８６
【補正方法】変更
【補正の内容】
【０１８６】
ＬＴＥシステムを更に例として用いると、第１デバイス１０１がＵＥであり、第２デバイス１０２が基地局である場合、現在のＬＴＥシステムにおいて、ＵＥが第４チャネル情報を基地局に送信する周期は、ＰＭＩフィードバック周期以下であってよい。例えば、現在のＦＤＤ  ＬＴＥシステムにおけるＰＭＩフィードバック周期は５ｍｓであり、本願のこの実施形態において第１デバイス１０１が第４チャネル情報をフィードバックする周期は２ｍｓなどであってよい。
【手続補正７】
【補正対象書類名】明細書
【補正対象項目名】０２０８
【補正方法】変更
【補正の内容】
【０２０８】
第２の任意的な実装によると、
送信モジュール１３０３は、第１デバイスに基準信号を送信するよう構成され、
受信モジュール１３０１は、第１デバイスから第３チャネル情報、第４チャネル情報および第５チャネル情報を受信するよう構成され、ここで、第３チャネル情報の精度は、第５チャネル情報の精度よりも低く、
処理モジュール１３０２は、第３チャネル情報、第４チャネル情報および第５チャネル情報に基づいてプリコーディング行列Ｗを決定するよう構成され、
送信モジュール１３０３は、処理モジュール１３０２により決定されたプリコーディング行列Ｗに基づいて第１デバイスにデータを送信するよう構成され、ここで、
プリコーディング行列Ｗは、第１デバイスにより、受信した基準信号に基づいて取得され、Ｗは、Ｎｔ行Ｒ列の行列であり、
【数７９】
2019527969.tif 000188
であり、
【数８０】
2019527969.tif 000189
は、Ｎｔ／２行Ｍ列の行列であり、
【数８１】
2019527969.tif 000190
であり、
【数８２】
2019527969.tif 000191
は、次元数がＮｔ／２である列ベクトルであり、０≦ｉ≦Ｍ−１であり、Ｎｔは、第２デバイスにより基準信号を送信するためのアンテナポートの数であり、
【数８３】
2019527969.tif 000192
は、２Ｍ行Ｒ列の行列であり、
【数８４】
2019527969.tif 000193
であり、ここで、
【数８５】
2019527969.tif 000194
は、次元数がＭである単位ベクトルであり、
【数８６】
2019527969.tif 000195
番目の要素の値のみが１であり、他の要素の値は全て０であり、０≦ｍ≦Ｒ−１であり、
【数８７】
2019527969.tif 000196
は、絶対値が１である複素数であり、０≦ｎ≦Ｒ−１であり、Ｍ、ＲおよびＮｔは全て正の整数であり、Ｎｔは偶数であり、
第３チャネル情報は、
【数８８】
2019527969.tif 000197
を示すために使用され、
第４チャネル情報は、
【数８９】
2019527969.tif 000198
を示すために使用され、
第５チャネル情報は、
【数９０】
2019527969.tif 000199
を示すために使用される。
【手続補正８】
【補正対象書類名】明細書
【補正対象項目名】０２２１
【補正方法】変更
【補正の内容】
【０２２１】
当業者であれば明らかに、本願の実施形態の範囲から逸脱することなく、本願の実施形態に対する様々な修正および変更を加えることができる。本願は、以下の請求項および同等の技術により定義される保護の範囲に含まれる限り、これらの修正および変更を包含することを目的としている。
（項目１）
第２デバイスから基準信号を受信するよう構成されている受信モジュールと、
上記受信モジュールにより受信された上記基準信号に基づいてプリコーディング行列を取得し、上記プリコーディング行列を示すために使用される第１チャネル情報および第２チャネル情報を生成するよう構成されている処理モジュールと、
上記第２デバイスに上記第１チャネル情報および上記第２チャネル情報を送信するよう構成されている送信モジュールと
を備える第１デバイスであって、上記第１チャネル情報の精度は、上記第２チャネル情報の精度よりも高く、
上記第１チャネル情報は、上記プリコーディング行列内の各要素の位相情報を含み、上記第２チャネル情報は、上記プリコーディング行列内の各要素の振幅情報を含む、第１デバイス。
（項目２）
上記処理モジュールは、量子化されていない上記第１チャネル情報と量子化された上記第２チャネル情報とを生成するよう具体的に構成される、項目１に記載のデバイス。
（項目３）
上記処理モジュールは、量子化された上記第１チャネル情報と量子化された上記第２チャネル情報とを生成するよう具体的に構成され、上記第１チャネル情報の量子化ビットの数は、上記第２チャネル情報の量子化ビットの数よりも多い、項目１に記載のデバイス。
（項目４）
上記処理モジュールは、第１チャネルサブ情報のＫ個のグループを含む上記第１チャネル情報を生成するよう具体的に構成され、
Ｋは、正の整数であり、上記プリコーディング行列に含まれる列ベクトルの数であり、各列ベクトルが、第１チャネルサブ情報の１つのグループに対応しており、
上記第１チャネルサブ情報は、
基本的第１チャネルサブ情報であって、上記基本的第１チャネルサブ情報は、上記第１チャネルサブ情報に対応する列ベクトル内の基準要素の位相情報であり、上記基準要素の位相は、非ゼロである、基本的第１チャネルサブ情報と、
Ｌ−２個の相対的第１チャネルサブ情報であって、Ｌは、上記列ベクトルの長さであり、１つの相対的第１チャネルサブ情報が、位相が非ゼロである、上記列ベクトル内の上記基準要素以外の１つの要素に対応しており、対応する上記要素の位相と上記基準要素の上記位相との間のずれを示すために使用される、Ｌ−２個の相対的第１チャネルサブ情報と
を含み、上記基本的第１チャネルサブ情報は、量子化されていないチャネル情報であり、上記相対的第１チャネルサブ情報は、量子化されたチャネル情報である、項目１に記載のデバイス。
（項目５）
上記処理モジュールは、量子化された上記第２チャネル情報を生成するよう具体的に構成され、それぞれの相対的第１チャネルサブ情報の量子化ビットの数が、上記第２チャネル情報の量子化ビットの数よりも多い、項目４に記載のデバイス。
（項目６）
上記処理モジュールは、システム周波数帯域内の予め設定されたサブバンドごとに上記第１チャネル情報を生成し、全システム帯域幅に対する上記第２チャネル情報を生成するよう具体的に構成される、項目１から５の何れか一項に記載のデバイス。
（項目７）
上記処理モジュールは、上記第１チャネル情報および上記第２チャネル情報の送信時における上記第１チャネル情報の送信周期が上記第２チャネル情報の送信周期よりも短いことを上記送信モジュールに示すよう具体的に構成される、項目１から６の何れか一項に記載のデバイス。
（項目８）
第１デバイスに基準信号を送信するよう構成されている送信モジュールと、
上記第１デバイスから第１チャネル情報および第２チャネル情報を受信するよう構成されている受信モジュールであって、上記第１チャネル情報および上記第２チャネル情報は、プリコーディング行列を示すために使用され、上記プリコーディング行列は、上記第１デバイスにより、受信した上記基準信号に基づいて取得され、
上記第１チャネル情報の精度は、上記第２チャネル情報の精度よりも高く、
上記第１チャネル情報は、上記プリコーディング行列内の各要素の位相情報を含み、上記第２チャネル情報は、上記プリコーディング行列内の各要素の振幅情報を含む、受信モジュールと、
上記第１チャネル情報および上記第２チャネル情報に基づいて上記プリコーディング行列を決定するよう構成されている処理モジュールと
を備える第２デバイスであって、
上記送信モジュールは更に、上記処理モジュールにより決定された上記プリコーディング行列に基づいて上記第１デバイスにデータを送信するよう構成される、第２デバイス。
（項目９）
上記受信モジュールは、量子化されていない上記第１チャネル情報を受信し、量子化された上記第２チャネル情報を受信するよう具体的に構成される、項目８に記載のデバイス。
（項目１０）
上記受信モジュールは、量子化された上記第１チャネル情報と量子化された上記第２チャネル情報とを受信するよう具体的に構成され、上記第１チャネル情報の量子化ビットの数は、上記第２チャネル情報の量子化ビットの数よりも多い、項目８に記載のデバイス。
（項目１１）
上記受信モジュールは、第１チャネルサブ情報のＫ個のグループを含む上記第１チャネル情報を受信するよう具体的に構成され、Ｋは、正の整数であり、上記プリコーディング行列に含まれる列ベクトルの数であり、各列ベクトルが、第１チャネルサブ情報の１つのグループに対応しており、上記第１チャネルサブ情報は、
基本的第１チャネルサブ情報であって、上記基本的第１チャネルサブ情報は、上記第１チャネルサブ情報に対応する列ベクトル内の基準要素の位相情報であり、上記基準要素の位相は、非ゼロである、基本的第１チャネルサブ情報と、
Ｌ−２個の相対的第１チャネルサブ情報であって、Ｌは、上記列ベクトルの長さであり、１つの相対的第１チャネルサブ情報が、位相が非ゼロである、上記列ベクトル内の上記基準要素以外の１つの要素に対応しており、対応する上記要素の位相と上記基準要素の上記位相との間のずれを示すために使用される、Ｌ−２個の相対的第１チャネルサブ情報と
を含み、上記基本的第１チャネルサブ情報は、量子化されていないチャネル情報であり、上記相対的第１チャネルサブ情報は、量子化されたチャネル情報である、項目８に記載のデバイス。
（項目１２）
上記受信モジュールは、量子化された上記第２チャネル情報を受信するよう具体的に構成され、それぞれの相対的第１チャネルサブ情報の量子化ビットの数は、上記第２チャネル情報の量子化ビットの数よりも多い、項目１１に記載のデバイス。
（項目１３）
上記受信モジュールは、システム周波数帯域内の予め設定されたサブバンドごとに上記第１チャネル情報を受信し、全システム帯域幅に対する上記第２チャネル情報を受信するよう具体的に構成される、項目８から１２の何れか一項に記載のデバイス。
（項目１４）
上記受信モジュールは、周期的に送信される上記第１チャネル情報および上記第２チャネル情報を受信するよう具体的に構成され、上記第１チャネル情報の送信周期は、上記第２チャネル情報の送信周期よりも短い、項目８から１３の何れか一項に記載のデバイス。
（項目１５）
第２デバイスから基準信号を受信するよう構成されている受信モジュールと、
上記受信モジュールにより受信された上記基準信号に基づいてプリコーディング行列Ｗを取得するよう構成されている処理モジュールであって、
Ｗは、Ｎｔ行Ｒ列の行列であり、
【数１０３】
2019527969.tif 000200
であり、
【数１０４】
2019527969.tif 000201
は、Ｎｔ／２行Ｍ列の行列であり、
【数１０５】
2019527969.tif 000202
であり、
【数１０６】
2019527969.tif 000203
は、次元数がＮｔ／２である列ベクトルであり、０≦ｉ≦Ｍ−１であり、Ｎｔは、上記第２デバイスにより上記基準信号を送信するためのアンテナポートの数であり、
【数１０７】
2019527969.tif 000204
は、２Ｍ行Ｒ列の行列であり、
【数１０８】
2019527969.tif 000205
であり、
【数１０９】
2019527969.tif 000206
は、次元数がＭである単位ベクトルであり、
【数１１０】
2019527969.tif 000207
番目の要素の値のみが１であり、他の要素の値は全て０であり、０≦ｍ≦Ｒ−１であり、
【数１１１】
2019527969.tif 000208
は、絶対値が１である複素数であり、０≦ｎ≦Ｒ−１であり、Ｍ、ＲおよびＮｔは全て正の整数であり、Ｎｔは偶数であり、
上記処理モジュールは更に、第３チャネル情報、第４チャネル情報および第５チャネル情報を生成するよう構成され、
上記第３チャネル情報は、
【数１１２】
2019527969.tif 000209
を示すために使用され、
上記第４チャネル情報は、
【数１１３】
2019527969.tif 000210
を示すために使用され、
上記第５チャネル情報は、
【数１１４】
2019527969.tif 000211
を示すために使用され、
上記第３チャネル情報の精度は、上記第５チャネル情報の精度よりも低い、処理モジュールと、
上記第２デバイスに上記第３チャネル情報、上記第４チャネル情報および上記第５チャネル情報を送信するよう構成されている送信モジュールと
を備える、チャネル情報を送信するデバイス。
（項目１６）
上記処理モジュールは、量子化された上記第３チャネル情報を生成し、量子化されていない上記第５チャネル情報を生成すること、または、
量子化された上記第３チャネル情報と量子化された上記第５チャネル情報とを生成することであって、上記第３チャネル情報により示される各ベクトルの量子化ビットの数は、上記第５チャネル情報の量子化ビットの数よりも少ない、生成すること、または、
量子化された上記第３チャネル情報と量子化された上記第５チャネル情報とを生成することであって、上記第３チャネル情報により示される各ベクトルの量子化ビットの数は、上記第５チャネル情報により示される任意の
【数１１５】
2019527969.tif 000212
の量子化ビットの数よりも少ない、生成すること、または、
量子化された上記第３チャネル情報と量子化された上記第５チャネル情報とを生成することであって、上記第３チャネル情報により示される任意のベクトル内の各要素の量子化ビットの数は、上記第５チャネル情報により示される任意の
【数１１６】
2019527969.tif 000213
の量子化ビットの数よりも少ない、生成すること
を行うよう具体的に構成される、項目１５に記載のデバイス。
（項目１７）
上記処理モジュールは、全システム帯域幅に対する上記第３チャネル情報を生成し、システム周波数帯域内の予め設定されたサブバンドごとに上記第４チャネル情報および上記第５チャネル情報を生成するよう具体的に構成される、項目１５または１６に記載のデバイス。
（項目１８）
上記処理モジュールは、上記第３チャネル情報、上記第４チャネル情報および上記第５チャネル情報を周期的に送信することを上記送信モジュールに命令するよう具体的に構成され、上記第３チャネル情報の送信周期は、上記第４チャネル情報の送信周期よりも長く、上記第３チャネル情報の上記送信周期は、上記第５チャネル情報の送信周期よりも長い、項目１５から１７の何れか一項に記載のデバイス。
（項目１９）
第１デバイスに基準信号を送信するよう構成されている送信モジュールと、
上記第１デバイスから第３チャネル情報、第４チャネル情報および第５チャネル情報を受信するよう構成されている受信モジュールであって、上記第３チャネル情報の精度は、上記第５チャネル情報の精度よりも低い、受信モジュールと、
上記第３チャネル情報、上記第４チャネル情報および上記第５チャネル情報に基づいてプリコーディング行列Ｗを決定するよう構成されている処理モジュールと
を備える第２デバイスであって、
上記送信モジュールは、上記処理モジュールにより決定された上記プリコーディング行列Ｗに基づいて上記第１デバイスにデータを送信するよう構成され、
上記プリコーディング行列Ｗは、上記第１デバイスにより、受信した上記基準信号に基づいて取得され、Ｗは、Ｎｔ行Ｒ列の行列であり、
【数１１７】
2019527969.tif 000214
であり、
【数１１８】
2019527969.tif 000215
は、Ｎｔ／２行Ｍ列の行列であり、
【数１１９】
2019527969.tif 000216
であり、
【数１２０】
2019527969.tif 000217
は、次元数がＮｔ／２である列ベクトルであり、０≦ｉ≦Ｍ−１であり、Ｎｔは、上記第２デバイスにより上記基準信号を送信するためのアンテナポートの数であり、
【数１２１】
2019527969.tif 000218
は、２Ｍ行Ｒ列の行列であり、
【数１２２】
2019527969.tif 000219
であり、
【数１２３】
2019527969.tif 000220
は、次元数がＭである単位ベクトルであり、
【数１２４】
2019527969.tif 000221
番目の要素の値のみが１であり、他の要素の値は全て０であり、０≦ｍ≦Ｒ−１であり、
【数１２５】
2019527969.tif 000222
は、絶対値が１である複素数であり、０≦ｎ≦Ｒ−１であり、Ｍ、ＲおよびＮｔは全て正の整数であり、Ｎｔは偶数であり、
上記第３チャネル情報は、
【数１２６】
2019527969.tif 000223
を示すために使用され、
上記第４チャネル情報は、
【数１２７】
2019527969.tif 000224
を示すために使用され、
上記第５チャネル情報は、
【数１２８】
2019527969.tif 000225
を示すために使用される、第２デバイス。
（項目２０）
上記受信モジュールは、
量子化された上記第３チャネル情報を受信し、量子化されていない上記第５チャネル情報を受信すること、または、
量子化された上記第３チャネル情報と量子化された上記第５チャネル情報とを受信することであって、上記第３チャネル情報に含まれる各ベクトルの量子化ビットの数は、上記第５チャネル情報の量子化ビットの数よりも少ない、受信すること、または、
量子化された上記第３チャネル情報と量子化された上記第５チャネル情報とを受信することであって、上記第３チャネル情報により示される各ベクトルの量子化ビットの数は、上記第５チャネル情報により示される任意の
【数１２９】
2019527969.tif 000226
の量子化ビットの数よりも少ない、受信すること、または、
量子化された上記第３チャネル情報と量子化された上記第５チャネル情報とを受信することであって、上記第３チャネル情報により示される任意のベクトル内の各要素の量子化ビットの数は、上記第５チャネル情報により示される任意の
【数１３０】
2019527969.tif 000227
の量子化ビットの数よりも少ない、受信すること
を行うよう具体的に構成される、項目１９に記載のデバイス。
（項目２１）
上記受信モジュールは、全システム帯域幅に対して生成された上記第３チャネル情報と、システム周波数帯域内の予め設定されたサブバンドごとに生成された上記第４チャネル情報および上記第５チャネル情報とを受信するよう具体的に構成される、項目１９または２０に記載のデバイス。
（項目２２）
上記受信モジュールは、周期的に送信される上記第３チャネル情報、上記第４チャネル情報および上記第５チャネル情報を受信するよう具体的に構成され、上記第３チャネル情報の送信周期は、上記第４チャネル情報の送信周期よりも長く、上記第３チャネル情報の上記送信周期は、上記第５チャネル情報の送信周期よりも長い、項目１９から２１の何れか一項に記載のデバイス。
（項目２３）
第１デバイスにより、第２デバイスから基準信号を受信する段階と、
上記第１デバイスにより、受信した上記基準信号に基づいてプリコーディング行列を取得する段階と、
上記第１デバイスにより、上記プリコーディング行列を示すために使用される第１チャネル情報および第２チャネル情報を生成する段階と、
上記第１デバイスにより、上記第２デバイスに上記第１チャネル情報および上記第２チャネル情報を送信する段階と
を備える、チャネル情報を送信する方法であって、
上記第１チャネル情報の精度は、上記第２チャネル情報の精度よりも高く、
上記第１チャネル情報は、上記プリコーディング行列内の各要素の位相情報を含み、上記第２チャネル情報は、上記プリコーディング行列内の各要素の振幅情報を含む、チャネル情報を送信する方法。
（項目２４）
上記第１チャネル情報の精度が上記第２チャネル情報の精度よりも高いことは、
上記第１チャネル情報が量子化されていないチャネル情報であり、上記第２チャネル情報が量子化されたチャネル情報であることを含む、項目２３に記載の方法。
（項目２５）
上記第１チャネル情報の精度が上記第２チャネル情報の精度よりも高いことは、
上記第１チャネル情報および上記第２チャネル情報がどちらも量子化されたチャネル情報であり、上記第１チャネル情報の量子化ビットの数が上記第２チャネル情報の量子化ビットの数よりも多いことを含む、項目２３に記載の方法。
（項目２６）
上記第１チャネル情報は、第１チャネルサブ情報のＫ個のグループを含み、Ｋは、正の整数であり、上記プリコーディング行列に含まれる列ベクトルの数であり、各列ベクトルが、第１チャネルサブ情報の１つのグループに対応しており、
上記第１チャネルサブ情報は、
基本的第１チャネルサブ情報であって、上記基本的第１チャネルサブ情報は、上記第１チャネルサブ情報に対応する列ベクトル内の基準要素の位相情報であり、上記基準要素の位相は、非ゼロである、基本的第１チャネルサブ情報と、
Ｌ−２個の相対的第１チャネルサブ情報であって、Ｌは、上記列ベクトルの長さであり、１つの相対的第１チャネルサブ情報が、位相が非ゼロである、上記列ベクトル内の上記基準要素以外の１つの要素に対応しており、対応する上記要素の位相と上記基準要素の上記位相との間のずれを示すために使用される、Ｌ−２個の相対的第１チャネルサブ情報と
を含み、上記基本的第１チャネルサブ情報は、量子化されていないチャネル情報であり、上記相対的第１チャネルサブ情報は、量子化されたチャネル情報である、項目２３に記載の方法。
（項目２７）
上記第１チャネル情報の精度が上記第２チャネル情報の精度よりも高いことは、
上記第２チャネル情報が量子化されたチャネル情報であり、それぞれの相対的第１チャネルサブ情報の量子化ビットの数が、上記第２チャネル情報の量子化ビットの数よりも多いことを含む、項目２６に記載の方法。
（項目２８）
上記第１チャネル情報の精度が上記第２チャネル情報の精度よりも高いことは、
上記第１デバイスが、システム周波数帯域内の予め設定されたサブバンドごとに上記第１チャネル情報を生成し、全システム帯域幅に対する上記第２チャネル情報を生成することを含む、項目２３から２７の何れか一項に記載の方法。
（項目２９）
上記第１チャネル情報の精度が上記第２チャネル情報の精度よりも高いことは、
上記第１チャネル情報の送信周期が上記第２チャネル情報の送信周期よりも短いことを含む、項目２３から２８の何れか一項に記載の方法。
（項目３０）
第２デバイスにより、第１デバイスに基準信号を送信する段階と、
上記第２デバイスにより、上記第１デバイスから第１チャネル情報および第２チャネル情報を受信する段階であって、上記第１チャネル情報および上記第２チャネル情報は、プリコーディング行列を示すために使用され、上記プリコーディング行列は、上記第１デバイスにより、受信した上記基準信号に基づいて取得され、
上記第１チャネル情報の精度は、上記第２チャネル情報の精度よりも高く、
上記第１チャネル情報は、上記プリコーディング行列内の各要素の位相情報を含み、上記第２チャネル情報は、上記プリコーディング行列内の各要素の振幅情報を含む、受信する段階と、
上記第２デバイスにより、上記第１チャネル情報および上記第２チャネル情報に基づいて上記プリコーディング行列を決定する段階と、
上記第２デバイスにより、決定した上記プリコーディング行列に基づいて上記第１デバイスにデータを送信する段階と
を備える、データを送信する方法。
（項目３１）
上記第１チャネル情報の精度が上記第２チャネル情報の精度よりも高いことは、
上記第１チャネル情報が量子化されていないチャネル情報であり、上記第２チャネル情報が量子化されたチャネル情報であることを含む、項目３０に記載の方法。
（項目３２）
上記第１チャネル情報の精度が上記第２チャネル情報の精度よりも高いことは、
上記第１チャネル情報および上記第２チャネル情報がどちらも量子化されたチャネル情報であり、上記第１チャネル情報の量子化ビットの数が上記第２チャネル情報の量子化ビットの数よりも多いことを含む、項目３０に記載の方法。
（項目３３）
上記第１チャネル情報は、第１チャネルサブ情報のＫ個のグループを含み、Ｋは、正の整数であり、上記プリコーディング行列に含まれる列ベクトルの数であり、各列ベクトルが、第１チャネルサブ情報の１つのグループに対応しており、
上記第１チャネルサブ情報は、
基本的第１チャネルサブ情報であって、上記基本的第１チャネルサブ情報は、上記第１チャネルサブ情報に対応する列ベクトル内の基準要素の位相情報であり、上記基準要素の位相は、非ゼロである、基本的第１チャネルサブ情報と、
Ｌ−２個の相対的第１チャネルサブ情報であって、Ｌは、上記列ベクトルの長さであり、１つの相対的第１チャネルサブ情報が、位相が非ゼロである、上記列ベクトル内の上記基準要素以外の１つの要素に対応しており、対応する上記要素の位相と上記基準要素の上記位相との間のずれを示すために使用される、Ｌ−２個の相対的第１チャネルサブ情報と
を含み、上記基本的第１チャネルサブ情報は、量子化されていないチャネル情報であり、上記相対的第１チャネルサブ情報は、量子化されたチャネル情報である、項目３０に記載の方法。
（項目３４）
上記第１チャネル情報の精度が上記第２チャネル情報の精度よりも高いことは、
上記第２チャネル情報が量子化されたチャネル情報であり、それぞれの相対的第１チャネルサブ情報の量子化ビットの数が、上記第２チャネル情報の量子化ビットの数よりも多いことを含む、項目３３に記載の方法。
（項目３５）
上記第１チャネル情報の精度が上記第２チャネル情報の精度よりも高いことは、
上記第１チャネル情報が、システム周波数帯域内の予め設定された各サブバンドに対するものであり、上記第２チャネル情報が全システム帯域幅に対するものであることを含む、項目３０から３４の何れか一項に記載の方法。
（項目３６）
上記第１チャネル情報の精度が上記第２チャネル情報の精度よりも高いことは、
上記第１チャネル情報の送信周期が上記第２チャネル情報の送信周期よりも短いことを含む、項目３０から３５の何れか一項に記載の方法。
（項目３７）
第１デバイスおよび第２デバイスを備える無線通信システムであって、
上記第２デバイスは、上記第１デバイスに基準信号を送信するよう構成され、
上記第１デバイスは、受信した上記基準信号に基づいてプリコーディング行列を取得し、上記プリコーディング行列を示すために使用される第１チャネル情報および第２チャネル情報を生成し、上記第２デバイスに上記第１チャネル情報および上記第２チャネル情報を送信するよう構成され、
上記第２デバイスは更に、受信した上記第１チャネル情報および上記第２チャネル情報に基づいて上記プリコーディング行列を決定し、決定した上記プリコーディング行列に基づいて上記第１デバイスにデータを送信するよう構成され、
上記第１チャネル情報の精度は、上記第２チャネル情報の精度よりも高く、
上記第１チャネル情報は、上記プリコーディング行列内の各要素の位相情報を含み、上記第２チャネル情報は、上記プリコーディング行列内の各要素の振幅情報を含む、無線通信システム。
（項目３８）
第１デバイスにより、第２デバイスから基準信号を受信する段階と、
上記第１デバイスにより、受信した上記基準信号に基づいてプリコーディング行列Ｗを取得する段階であって、
Ｗは、Ｎｔ行Ｒ列の行列であり、
【数１３１】
2019527969.tif 000228
であり、
【数１３２】
2019527969.tif 000229
は、Ｎｔ／２行Ｍ列の行列であり、
【数１３３】
2019527969.tif 000230
であり、
【数１３４】
2019527969.tif 000231
は、次元数がＮｔ／２である列ベクトルであり、０≦ｉ≦Ｍ−１であり、Ｎｔは、上記第２デバイスにより上記基準信号を送信するためのアンテナポートの数であり、
【数１３５】
2019527969.tif 000232
は、２Ｍ行Ｒ列の行列であり、
【数１３６】
2019527969.tif 000233
であり、
【数１３７】
2019527969.tif 000234
は、次元数がＭである単位ベクトルであり、
【数１３８】
2019527969.tif 000235
番目の要素の値のみが１であり、他の要素の値は全て０であり、０≦ｍ≦Ｒ−１であり、
【数１３９】
2019527969.tif 000236
は、絶対値が１である複素数であり、０≦ｎ≦Ｒ−１であり、Ｍ、ＲおよびＮｔは全て正の整数であり、Ｎｔは偶数である、取得する段階と、
上記第１デバイスにより、第３チャネル情報、第４チャネル情報および第５チャネル情報を生成する段階であって、
上記第３チャネル情報は、
【数１４０】
2019527969.tif 000237
を示すために使用され、
上記第４チャネル情報は、
【数１４１】
2019527969.tif 000238
を示すために使用され、
上記第５チャネル情報は、
【数１４２】
2019527969.tif 000239
を示すために使用され、
上記第３チャネル情報の精度は、上記第５チャネル情報の精度よりも低い、生成する段階と、
上記第１デバイスにより、上記第２デバイスに上記第３チャネル情報、上記第４チャネル情報および上記第５チャネル情報を送信する段階と
を備える、チャネル情報を送信する方法。
（項目３９）
上記第３チャネル情報の精度が上記第５チャネル情報の精度よりも低いことは、
上記第３チャネル情報が量子化されたチャネル情報であり、上記第５チャネル情報が量子化されていないチャネル情報であること、または、
上記第３チャネル情報および上記第５チャネル情報がどちらも、量子化されたチャネル情報であり、上記第３チャネル情報により示される各ベクトルの量子化ビットの数が、上記第５チャネル情報の量子化ビットの数よりも少ないこと、または、
上記第３チャネル情報および上記第５チャネル情報がどちらも、量子化されたチャネル情報であり、上記第３チャネル情報により示される各ベクトルの量子化ビットの数が、上記第５チャネル情報により示される任意の
【数１４３】
2019527969.tif 000240
の量子化ビットの数よりも少ないこと、または、
上記第３チャネル情報および上記第５チャネル情報がどちらも、量子化されたチャネル情報であり、上記第３チャネル情報により示される任意のベクトル内の各要素の量子化ビットの数が、上記第５チャネル情報により示される任意の
【数１４４】
2019527969.tif 000241
の量子化ビットの数よりも少ないことを含む、項目３８に記載の方法。
（項目４０）
上記第３チャネル情報の精度が上記第５チャネル情報の精度よりも低いことは、
上記第１デバイスが、全システム帯域幅に対する上記第３チャネル情報を生成し、システム周波数帯域内の予め設定されたサブバンドごとに上記第４チャネル情報および上記第５チャネル情報を生成することを含む、項目３８または３９に記載の方法。
（項目４１）
上記第３チャネル情報の精度が上記第５チャネル情報の精度よりも低いことは、
上記第３チャネル情報の送信周期が上記第４チャネル情報の送信周期よりも長く、上記第３チャネル情報の上記送信周期が上記第５チャネル情報の送信周期よりも長いことを含む、項目３８から４０の何れか一項に記載の方法。
（項目４２）
第２デバイスにより、第１デバイスに基準信号を送信する段階と、
上記第２デバイスにより、上記第１デバイスから第３チャネル情報、第４チャネル情報および第５チャネル情報を受信する段階であって、上記第３チャネル情報の精度は、上記第５チャネル情報の精度よりも低い、受信する段階と、
上記第２デバイスにより、上記第３チャネル情報、上記第４チャネル情報および上記第５チャネル情報に基づいてプリコーディング行列Ｗを決定する段階と、
上記第２デバイスにより、決定した上記プリコーディング行列Ｗに基づいて上記第１デバイスにデータを送信する段階と
を備えるデータを送信する方法であって、
上記プリコーディング行列Ｗは、上記第１デバイスにより、受信した上記基準信号に基づいて取得され、Ｗは、Ｎｔ行Ｒ列の行列であり、
【数１４５】
2019527969.tif 000242
であり、
【数１４６】
2019527969.tif 000243
は、Ｎｔ／２行Ｍ列の行列であり、
【数１４７】
2019527969.tif 000244
であり、
【数１４８】
2019527969.tif 000245
は、次元数がＮｔ／２である列ベクトルであり、０≦ｉ≦Ｍ−１であり、Ｎｔは、上記第２デバイスにより上記基準信号を送信するためのアンテナポートの数であり、
【数１４９】
2019527969.tif 000246
は、２Ｍ行Ｒ列の行列であり、
【数１５０】
2019527969.tif 000247
であり、
【数１５１】
2019527969.tif 000248
は、次元数がＭである単位ベクトルであり、
【数１５２】
2019527969.tif 000249
番目の要素の値のみが１であり、他の要素の値は全て０であり、０≦ｍ≦Ｒ−１であり、
【数１５３】
2019527969.tif 000250
は、絶対値が１である複素数であり、０≦ｎ≦Ｒ−１であり、Ｍ、ＲおよびＮｔは全て正の整数であり、Ｎｔは偶数であり、
上記第３チャネル情報は、
【数１５４】
2019527969.tif 000251
を示すために使用され、
上記第４チャネル情報は、
【数１５５】
2019527969.tif 000252
を示すために使用され、
上記第５チャネル情報は、
【数１５６】
2019527969.tif 000253
を示すために使用される、方法。
（項目４３）
上記第３チャネル情報の精度が上記第５チャネル情報の精度よりも低いことは、
上記第３チャネル情報が量子化されたチャネル情報であり、上記第５チャネル情報が量子化されていないチャネル情報であること、または、
上記第３チャネル情報および上記第５チャネル情報がどちらも、量子化されたチャネル情報であり、上記第３チャネル情報に含まれる各ベクトルの量子化ビットの数が、上記第５チャネル情報の量子化ビットの数よりも少ないこと、または、
上記第３チャネル情報および上記第５チャネル情報がどちらも、量子化されたチャネル情報であり、上記第３チャネル情報により示される各ベクトルの量子化ビットの数が、上記第５チャネル情報により示される任意の
【数１５７】
2019527969.tif 000254
の量子化ビットの数よりも少ないこと、または、
上記第３チャネル情報および上記第５チャネル情報がどちらも、量子化されたチャネル情報であり、上記第３チャネル情報により示される任意のベクトル内の各要素の量子化ビットの数が、上記第５チャネル情報により示される任意の
【数１５８】
2019527969.tif 000255
の量子化ビットの数よりも少ないことを含む、項目４２に記載の方法。
（項目４４）
上記第３チャネル情報の精度が上記第５チャネル情報の精度よりも低いことは、
上記第３チャネル情報が全システム帯域幅に対して生成され、上記第４チャネル情報および上記第５チャネル情報が、システム周波数帯域内の予め設定されたサブバンドごとに生成されることを含む、項目４２または４３に記載の方法。
（項目４５）
上記第３チャネル情報の精度が上記第５チャネル情報の精度よりも低いことは、
上記第３チャネル情報の送信周期が上記第４チャネル情報の送信周期よりも長く、上記第３チャネル情報の上記送信周期が上記第５チャネル情報の送信周期よりも長いことを含む、項目４２から４４の何れか一項に記載の方法。
（項目４６）
第１デバイスおよび第２デバイスを備える無線通信システムであって、
上記第２デバイスは、上記第１デバイスに基準信号を送信するよう構成され、
上記第１デバイスは、受信した上記基準信号に基づいてプリコーディング行列Ｗを取得するよう構成され、
Ｗは、Ｎｔ行Ｒ列の行列であり、
【数１５９】
2019527969.tif 000256
であり、
【数１６０】
2019527969.tif 000257
は、Ｎｔ／２行Ｍ列の行列であり、
【数１６１】
2019527969.tif 000258
であり、
【数１６２】
2019527969.tif 000259
は、次元数がＮｔ／２である列ベクトルであり、０≦ｉ≦Ｍ−１であり、Ｎｔは、上記第２デバイスにより上記基準信号を送信するためのアンテナポートの数であり、
【数１６３】
2019527969.tif 000260
は、２Ｍ行Ｒ列の行列であり、
【数１６４】
2019527969.tif 000261
であり、
【数１６５】
2019527969.tif 000262
は、次元数がＭである単位ベクトルであり、
【数１６６】
2019527969.tif 000263
番目の要素の値のみが１であり、他の要素の値は全て０であり、０≦ｍ≦Ｒ−１であり、
【数１６７】
2019527969.tif 000264
は、絶対値が１である複素数であり、０≦ｎ≦Ｒ−１であり、Ｍ、ＲおよびＮｔは全て正の整数であり、Ｎｔは偶数であり、
上記第１デバイスは更に、第３チャネル情報、第４チャネル情報および第５チャネル情報を生成するよう構成され、
上記第３チャネル情報は、
【数１６８】
2019527969.tif 000265
を示すために使用され、
上記第４チャネル情報は、
【数１６９】
2019527969.tif 000266
を示すために使用され、
上記第５チャネル情報は、
【数１７０】
2019527969.tif 000267
を示すために使用され、
上記第３チャネル情報の精度は、上記第５チャネル情報の精度よりも低く、
上記第１デバイスは更に、上記第２デバイスに上記第３チャネル情報、上記第４チャネル情報および上記第５チャネル情報を送信するよう構成され、
上記第２デバイスは更に、受信した上記第３チャネル情報、上記第４チャネル情報および上記第５チャネル情報に基づいて上記プリコーディング行列Ｗを決定し、決定した上記プリコーディング行列Ｗに基づいて上記第１デバイスにデータを送信するよう構成される、無線通信システム。
【国際調査報告】
2019527969.tif 000268
2019527969.tif 000269
2019527969.tif 000270
2019527969.tif 000271